(57)【特許請求の範囲】
【請求項１】
放送信号を受信し、受信した放送信号から放送中の番組のデータを取得する放送受信手段と、
放送中の番組と同内容のコンテンツのデータをサーバからネットワークを介して取得するコンテンツ取得手段と、
前記コンテンツ取得手段で取得された前記コンテンツのデータを再生するコンテンツ再生手段と、
前記番組のデータに含まれる番組属性情報と前記コンテンツのデータに含まれるコンテンツ属性情報とを用いて、前記放送中の番組の放送終了時刻と前記コンテンツの再生終了時刻とを比較する比較手段と、
前記比較手段の比較結果に基づいて、前記放送中の番組の放送終了時刻と前記コンテンツの再生終了時刻との差異を少なくとも表す表示画面を作成し出力する画面作成手段と、を備え、
前記画面作成手段は、前記コンテンツの再生終了時刻が前記放送中の番組の放送終了時刻よりも遅い場合と、そうでない場合とで、異なる表示形態の前記表示画面を作成する
ことを特徴とする映像受信装置。
【請求項２】
前記画面作成手段は、前記表示画面を電子番組ガイドに合成し、前記表示画面が合成された電子番組ガイドを出力する
ことを特徴とする請求項１に記載の映像受信装置。
【請求項３】
前記表示画面は、前記電子番組ガイド上の前記放送中の番組を示す領域に重ね合わされる図形を含み、
前記放送中の番組の放送終了時刻よりも前記コンテンツの再生終了時刻が早い場合、前記図形は前記領域よりも時間軸方向に短い形状であり、
前記放送中の番組の放送終了時刻よりも前記コンテンツの再生終了時刻が遅い場合、前記図形は前記領域よりも時間軸方向に長い形状である
ことを特徴とする請求項２に記載の映像受信装置。
【請求項４】
前記放送中の番組の放送終了時刻よりも前記コンテンツの再生終了時刻が早い場合における前記図形の色と、前記放送中の番組の放送終了時刻よりも前記コンテンツの再生終了時刻が遅い場合における前記図形の色とが異なる
ことを特徴とする請求項３に記載の映像受信装置。
【請求項５】
前記放送中の番組の放送終了時刻よりも前記コンテンツの再生終了時刻が遅い場合、前記表示画面は、前記放送中の番組の放送終了時刻と前記コンテンツの再生終了時刻の差を表す所定の色の文字情報を含む
ことを特徴とする請求項１に記載の映像受信装置。
【請求項６】
前記表示画面は、互いに時間軸上の位置を合わせて配置された、前記放送中の番組の放送時間に対応する長さを有する第１のバーと、前記コンテンツの再生時間に対応する長さを有する第２のバーと、を含む
ことを特徴とする請求項１に記載の映像受信装置。
【請求項７】
前記表示画面を前記放送中の番組または前記コンテンツの映像に合成する合成手段をさらに備える
ことを特徴とする請求項６に記載の映像受信装置。
【請求項８】
前記放送中の番組の代わりに前記コンテンツが再生されている場合、
前記第２のバー上に、前記コンテンツの再生位置が示されるとともに、
前記第１のバー上に、前記コンテンツの再生位置のシーンに対応する、前記放送中の番組中のシーンの位置が示される
ことを特徴とする請求項６または７に記載の映像受信装置。
【請求項９】
前記放送中の番組の放送終了時刻よりも前記コンテンツの再生終了時刻が遅い場合、前記表示画面は、前記コンテンツの再生時間に対応する長さを有する前記第２のバー上で、前記放送中の番組の放送終了時刻を超過する部分を他の部分と識別可能な表示形態を有する
ことを特徴とする請求項６〜８のいずれかに記載の映像受信装置。
【請求項１０】
前記表示画面は、前記第２のバーと時間軸上の位置を合わせて配置される第３のバーを含み、
前記第３のバーは、同一チャンネルで前記放送中の番組の次に放送される、次番組を表すものである
ことを特徴とする請求項６〜９のいずれかに記載の映像受信装置。
【請求項１１】
前記放送中の番組の放送終了時刻よりも前記コンテンツの再生終了時刻が遅い場合、前記表示画面は、次番組を表す前記第３のバー上で、前記コンテンツの再生時間と重複する部分を他の部分と識別可能な表示形態を有する
ことを特徴とする請求項１０に記載の映像受信装置。
【請求項１２】
前記表示画面は、前記第２のバーと時間軸上の位置を合わせて配置される第４のバーを含み、
前記第４のバーは、視聴予約がされている番組であって、且つ、前記コンテンツの再生終了時刻よりも早く放送が始まる番組を表すものである
ことを特徴とする請求項６〜１１のいずれかに記載の映像受信装置。
【請求項１３】
前記放送中の番組の放送終了時刻よりも前記コンテンツの再生終了時刻が遅い場合、前記表示画面は、視聴予約がされている番組を表す前記第４のバー上で、前記コンテンツの
再生時間と重複する部分を他の部分と識別可能な表示形態を有する
ことを特徴とする請求項１２に記載の映像受信装置。
【請求項１４】
前記表示画面は、同内容のコンテンツの再生が終了した番組とその他の番組との区別を表す情報を含む
ことを特徴とする請求項２または３に記載の映像受信装置。
【請求項１５】
放送信号を受信し、受信した放送信号から放送中の番組のデータを取得する放送受信手段と、放送中の番組と同内容のコンテンツのデータをサーバからネットワークを介して取得するコンテンツ取得手段と、を備える映像受信装置の制御方法であって、
前記映像受信装置が、前記コンテンツ取得手段で取得された前記コンテンツのデータを再生するコンテンツ再生ステップと、
前記映像受信装置が、前記番組のデータに含まれる番組属性情報と前記コンテンツのデータに含まれるコンテンツ属性情報とを用いて、前記放送中の番組の放送終了時刻と前記コンテンツの再生終了時刻とを比較する比較ステップと、
前記映像受信装置が、前記比較ステップの比較結果に基づいて、前記放送中の番組の放送終了時刻と前記コンテンツの再生終了時刻との差異を少なくとも表す表示画面を作成し出力する画面作成ステップと、
を含み、
前記画面作成ステップでは、前記コンテンツの再生終了時刻が前記放送中の番組の放送終了時刻よりも遅い場合と、そうでない場合とで、異なる表示形態の前記表示画面が作成される
ことを特徴とする映像受信装置の制御方法。
【請求項１６】
前記画面作成ステップでは、前記表示画面が電子番組ガイドに合成され、前記表示画面が合成された電子番組ガイドが出力される
ことを特徴とする請求項１５に記載の映像受信装置の制御方法。
【請求項１７】
前記表示画面は、前記電子番組ガイド上の前記放送中の番組を示す領域に重ね合わされる図形を含み、
前記放送中の番組の放送終了時刻よりも前記コンテンツの再生終了時刻が早い場合、前記図形は前記領域よりも時間軸方向に短い形状であり、
前記放送中の番組の放送終了時刻よりも前記コンテンツの再生終了時刻が遅い場合、前記図形は前記領域よりも時間軸方向に長い形状である
ことを特徴とする請求項１６に記載の映像受信装置の制御方法。
【請求項１８】
前記放送中の番組の放送終了時刻よりも前記コンテンツの再生終了時刻が早い場合における前記図形の色と、前記放送中の番組の放送終了時刻よりも前記コンテンツの再生終了時刻が遅い場合における前記図形の色とが異なる
ことを特徴とする請求項１７に記載の映像受信装置の制御方法。
【請求項１９】
前記放送中の番組の放送終了時刻よりも前記コンテンツの再生終了時刻が遅い場合、前記表示画面は、前記放送中の番組の放送終了時刻と前記コンテンツの再生終了時刻の差を表す所定の色の文字情報を含む
ことを特徴とする請求項１５に記載の映像受信装置の制御方法。
【請求項２０】
前記表示画面は、互いに時間軸上の位置を合わせて配置された、前記放送中の番組の放送時間に対応する長さを有する第１のバーと、前記コンテンツの再生時間に対応する長さを有する第２のバーと、を含む
ことを特徴とする請求項１５に記載の映像受信装置の制御方法。
【請求項２１】
前記映像受信装置が、前記表示画面を前記放送中の番組または前記コンテンツの映像に合成する合成ステップを更に含む
ことを特徴とする請求項２０に記載の映像受信装置の制御方法。
【請求項２２】
前記放送中の番組の代わりに前記コンテンツが再生されている場合、
前記第２のバー上に、前記コンテンツの再生位置が示されるとともに、
前記第１のバー上に、前記コンテンツの再生位置のシーンに対応する、前記放送中の番組中のシーンの位置が示される
ことを特徴とする請求項２０または２１に記載の映像受信装置の制御方法。
【請求項２３】
前記放送中の番組の放送終了時刻よりも前記コンテンツの再生終了時刻が遅い場合、前記表示画面は、前記コンテンツの再生時間に対応する長さを有する前記第２のバー上で、前記放送中の番組の放送終了時刻を超過する部分を他の部分と識別可能な表示形態を有する
ことを特徴とする請求項２０〜２２のいずれかに記載の映像受信装置の制御方法。
【請求項２４】
前記表示画面は、前記第２のバーと時間軸上の位置を合わせて配置される第３のバーを含み、
前記第３のバーは、同一チャンネルで前記放送中の番組の次に放送される、次番組を表すものである
ことを特徴とする請求項２０〜２３のいずれかに記載の映像受信装置の制御方法。
【請求項２５】
前記放送中の番組の放送終了時刻よりも前記コンテンツの再生終了時刻が遅い場合、前記表示画面は、次番組を表す前記第３のバー上で、前記コンテンツの再生時間と重複する部分を他の部分と識別可能な表示形態を有する
ことを特徴とする請求項２４に記載の映像受信装置の制御方法。
【請求項２６】
前記表示画面は、前記第２のバーと時間軸上の位置を合わせて配置される第４のバーを含み、
前記第４のバーは、視聴予約がされている番組であって、且つ、前記コンテンツの終了時刻よりも早く放送が始まる番組を表すものである
ことを特徴とする請求項２０〜２５のいずれかに記載の映像受信装置の制御方法。
【請求項２７】
前記放送中の番組の放送終了時刻よりも前記コンテンツの再生終了時刻が遅い場合、前記表示画面は、視聴予約がされている番組を表す前記第４のバー上で、前記コンテンツの再生時間と重複する部分を他の部分と識別可能な表示形態を有する
ことを特徴とする請求項２６に記載の映像受信装置の制御方法。
【請求項２８】
前記表示画面は、同内容のコンテンツの再生が終了した番組とその他の番組との区別を表す情報を含む
ことを特徴とする請求項１６または１７に記載の映像受信装置の制御方法。
【発明の詳細な説明】
【技術分野】
【０００１】
本発明は、デジタル放送およびビデオ・オン・デマンドのコンテンツを受信して再生する映像受信装置とその制御方法に関する。
【背景技術】
【０００２】
ユーザが所望する時間に所望するコンテンツを視聴するビデオ・オン・デマンド（Ｖｉｄｅｏ  Ｏｎ  Ｄｅｍａｎｄ。以下ＶＯＤ）が普及している。ＶＯＤでは、映画や過去にテレビ放送されたドラマ等のコンテンツが配信されている。
【０００３】
今後、ＶＯＤの更なる普及により、ＶＯＤコンテンツが放送番組と同時期に配信されるようになると予想される。そうすると、たとえば、ユーザが途中から視聴した放送番組に興味を持った場合に、ＶＯＤコンテンツの視聴に切り換えることで、冒頭から視聴しなおすことができるようになる。また、ユーザが放送番組の視聴中に早送りやスキップなどの操作を行いたいと思った場合に、ＶＯＤコンテンツに切り換えることで、放送番組の未放送部分の映像を視聴することが可能になる。つまりユーザは、リアルタイム放送の番組をあたかも録画番組のように自由に操作して視聴できるようになる。
【０００４】
特許文献１は、放送中の放送番組と同じＶＯＤコンテンツをアーカイブから取得して録画していない部分への巻戻しや未放送部分への早送りを行う技術を開示する。特許文献２は、放送中の放送番組を録画しながら再生する、いわゆる追いかけ再生時に、現在時刻と放送番組の残り時間から視聴終了時間を計算し、放送番組の録画状況とあわせて画面上に表示する技術を開示する。特許文献３は、追いかけ再生中に、追いかけ再生を行っている放送番組が終了した場合にユーザに通知する技術を開示する。特許文献４は、ユーザの視聴履歴を記録し、視聴済みの放送番組を電子番組ガイド（Ｅｌｅｃｔｒｉｃ  Ｐｒｏｇｒａｍ  Ｇｕｉｄｅ。以下ＥＰＧ）上で区別してユーザの誤選択を防止する技術を開示する。
【特許文献１】特開２００５−１３６９７４号公報
【特許文献２】特開２００６−２９５７５３号公報
【特許文献３】特開２００７−１８０６３３号公報
【特許文献４】特開２０００−０５０１８０号公報
【発明の開示】
【発明が解決しようとする課題】
【０００５】
ＶＯＤコンテンツと放送番組は、時間長が完全に一致しているとは限らない。たとえば、ＣＭがカットされることで、放送番組よりもＶＯＤコンテンツの時間長のほうが短いことがある。逆に、放送番組ではカットされたシーンが追加されることで、ＶＯＤコンテンツの時間長のほうが長いこともある。また、時間長が同一であったとしても、視聴者が早送りや巻き戻し等の操作を行うことにより、ＶＯＤコンテンツの視聴が放送番組の終了時刻より早くあるいは遅く終わる可能性もある。
【０００６】
しかしながら、特許文献１に記載の技術では、アーカイブにあるＶＯＤコンテンツに切り替えた後、放送番組の進行状況を把握することや、早送りや巻戻しを行った際に、あとどのくらい視聴に時間が必要かを知ることができない。そのため、ユーザがＶＯＤコンテンツ視聴後に放送番組の視聴に切り替えた際に、放送番組より早く終了してしまっていて視聴済みのシーンを再度視聴することになる場合がある。あるいは逆に、放送番組の視聴より時間がかかり、見たかった次の放送番組が既に始まっている場合がある。
【０００７】
また、特許文献２に記載の技術では、終了予定時刻を表示するだけでは、次の放送番組が始まるまでにどの程度時間が余っているのか、あるいはどの程度時間が不足するのかわからない。そのため、表示された終了予定時刻に基づいてユーザ自身が次の放送番組が開始されるまでの時間や、次の放送番組と重複する時間を計算する必要がある。加えて、次の放送番組の放送時間に対してＶＯＤコンテンツの残り視聴時間がどの程度の影響を及ぼすのかを確認することができない。そのため、例えば、ＶＯＤコンテンツの視聴を完了するために、次の放送番組のオープニングだけを視聴できないのか、半分以上を見逃すことになるのか等、ＶＯＤコンテンツの視聴継続と次の放送番組の視聴開始との調整をユーザが実施するのは困難である。
【０００８】
また、特許文献３に記載の技術では、放送終了前にＶＯＤコンテンツの視聴を終了した場合には何も通知されない。そのため、ユーザがＶＯＤコンテンツ視聴後に放送番組視聴に切り替えた際に、放送番組より早く終了してしまっていて視聴済みのシーンを再度視聴することになる場合がある。加えて、ＶＯＤコンテンツ視聴中に放送番組が終了し、通知が行われた場合でも、ＶＯＤコンテンツの残り視聴時間がどの程度存在するのかを確認することができない。そのため、ＶＯＤコンテンツの視聴継続と次の放送コンテンツの視聴開始との調整をユーザが実施するのは難しい。
【０００９】
また、特許文献４に記載の技術では、ユーザがＥＰＧに表示した放送番組を過去に視聴したことがあるのか、現在放送中の放送番組と同時期に配信されたＶＯＤコンテンツを先に視聴終了したのかを区別して表示しない。さらに、放送番組が終了する前に当該放送番組をＶＯＤで視聴することを想定していない。そのため、ユーザがＶＯＤコンテンツ視聴後にＥＰＧを表示しても、ＶＯＤで視聴終了したばかりの放送番組を再度選択してしまい、視聴済みのシーンを再度視聴することになる場合がある。
【００１０】
以上のように、従来の技術では、放送番組からＶＯＤコンテンツに切り替えて視聴する際に、放送番組とＶＯＤコンテンツとの間にずれが生じることによる問題を解決するのが困難であった。
【００１１】
そこで、本発明は、放送番組と同じコンテンツをＶＯＤで視聴している際に、放送番組とＶＯＤコンテンツとの進行状況に差がある場合であっても、ＶＯＤコンテンツ視聴終了後の視聴者の不便利を軽減させる技術を提供することを目的とする。
【課題を解決するための手段】
【００１２】
本発明の第１態様は、
放送信号を受信し、受信した放送信号から放送中の番組のデータを取得する放送受信手
段と、
放送中の番組と同内容のコンテンツのデータをサーバからネットワークを介して取得するコンテンツ取得手段と、
前記コンテンツ取得手段で取得された前記コンテンツのデータを再生するコンテンツ再生手段と、
前記番組のデータに含まれる番組属性情報と前記コンテンツのデータに含まれるコンテンツ属性情報とを用いて、前記放送中の番組の放送終了時刻と前記コンテンツの再生終了時刻とを比較する比較手段と、
前記比較手段の比較結果に基づいて、前記放送中の番組の放送終了時刻と前記コンテンツの再生終了時刻との差異を少なくとも表す表示画面を作成し出力する画面作成手段と、を備え、
前記画面作成手段は、前記コンテンツの再生終了時刻が前記放送中の番組の放送終了時刻よりも遅い場合と、そうでない場合とで、異なる表示形態の前記表示画面を作成する
映像受信装置である。
【００１３】
本発明の第２態様は、
放送信号を受信し、受信した放送信号から放送中の番組のデータを取得する放送受信手段と、放送中の番組と同内容のコンテンツのデータをサーバからネットワークを介して取得するコンテンツ取得手段と、を備える映像受信装置の制御方法であって、
前記映像受信装置が、前記コンテンツ取得手段で取得された前記コンテンツのデータを再生するコンテンツ再生ステップと、
前記映像受信装置が、前記番組のデータに含まれる番組属性情報と前記コンテンツのデータに含まれるコンテンツ属性情報とを用いて、前記放送中の番組の放送終了時刻と前記コンテンツの再生終了時刻とを比較する比較ステップと、
前記映像受信装置が、前記比較ステップの比較結果に基づいて、前記放送中の番組の放送終了時刻と前記コンテンツの再生終了時刻との差異を少なくとも表す表示画面を作成し出力する画面作成ステップと、
を含み、
前記画面作成ステップでは、前記コンテンツの再生終了時刻が前記放送中の番組の放送終了時刻よりも遅い場合と、そうでない場合とで、異なる表示形態の前記表示画面が作成される
映像受信装置の制御方法である。
【発明の効果】
【００１４】
本発明によれば、放送番組と同じコンテンツをＶＯＤで視聴している際に、放送番組とＶＯＤコンテンツとの進行状況に差がある場合であっても、ＶＯＤコンテンツ視聴終了後の視聴者の不便利を軽減させることができる。
【発明を実施するための最良の形態】
【００１５】
＜実施形態の概要＞
本発明の実施形態に係る映像受信装置は、放送される番組を受信する放送受信手段（たとえば図２の放送受信・再生部１００）と、コンテンツアーカイブからコンテンツを取得するコンテンツ取得手段（たとえば図２のＶＯＤ受信・再生部２００）と、を備える。ここで、放送される番組とは、地上放送、衛星放送、ケーブル放送、ＩＰ放送などを介して配信される映像番組であり、リアルタイムでしか視聴できない（つまり再生位置や再生速度を変更できない）ものをいう。一方、コンテンツアーカイブから取得されるコンテンツは、たとえば、ＶＯＤサーバから提供されるＶＯＤコンテンツ、動画サイトからダウンロード可能な動画コンテンツ、放送される番組を録画することで得られた録画コンテンツ、などがある。
【００１６】
映像受信装置は、放送中の番組ではなく、放送中の番組と同内容のコンテンツをコンテンツアーカイブから取得し再生する機能を有する。ここで「同内容のコンテンツ」とは、完全に一致している映像でなくてもよく、解像度、圧縮率、色調などの映像品質に若干の相違がある映像であってもよい。すなわち、「同内容」とは、ユーザが視聴したときに実質的に同一にみえること、を意味する。
【００１７】
放送中の番組の時間長と再生中のコンテンツの時間長が異なっている場合や、再生中のコンテンツに対して再生位置や再生速度の変更が行われた場合、再生中のコンテンツと放送中の番組との間で終了時刻に差がでる可能性がある。そのような場合、再生中のコンテンツの終了とともに単純に放送に切りかえると、すでに視聴した映像が表示されたり、番組の冒頭を見逃したり、といった不便が生じる。しかし従来は、放送番組とコンテンツとの進行のずれがどのようになっているかをユーザに簡単に把握させるような仕組みは存在しなかった。
【００１８】
そこで、映像受信装置は、放送中の番組の進行とコンテンツの進行とを比較する進行比較手段（たとえば図２の進行比較部８００）を備える。また映像受信装置は、進行比較手段による進行比較結果に基づき、放送中の番組の終了とコンテンツの終了との時間的な差異を少なくとも表す進行状況表示画面を作成し出力する表示画面作成手段（たとえば図２の進行状況表示画面作成部９００）を備える。放送番組と同内容のコンテンツをＶＯＤで視聴している際、ユーザは、進行状況表示画面によって放送番組とコンテンツの進行の差異を確認できる。これにより、たとえば、次の放送番組の開始までの過不足時間を把握したり、コンテンツから放送番組に切り替えた場合に視聴済みシーンを再視聴することになるか否かを判断したりすることが容易になる。
【００１９】
進行状況表示画面の形態（デザイン）はさまざまなものが考えられる。たとえば、進行状況表示画面は、電子番組ガイド（ＥＰＧ）に合成される形態でもよい（実施例１、４参照；図９、１１、１３参照）。ＥＰＧ画面上で放送番組とコンテンツの進行状況を確認できれば、どのような順番・タイミングで番組とコンテンツを切り替えるべきかを容易に判断できる。なお、進行状況表示画面が合成されるＥＰＧ画面は、通常の全画面ＥＰＧでもよいし、いわゆる現在番組表でもよい。また、進行状況表示画面は、放送番組またはコンテンツの映像に合成される形態でもよい（実施例２、３参照；図１６〜１９、２４、２６
参照）。これにより映像の視聴を中断することなく、進行状況を確認することが可能となる。
【００２０】
（１）電子番組ガイドに合成する場合
進行状況表示画面が、電子番組ガイド上の放送中の番組を示す領域（たとえば図９のＣ００１）に重ね合わされる図形（たとえば図９のＦ００１）を含むとよい。そして、放送中の番組の終了よりもコンテンツの終了が早い場合には、図１１に示すように、番組領域（Ｃ００１）よりも図形（Ｆ００２）の時間軸方向（ＥＰＧの縦方向）の長さを短くする。逆に、放送中の番組の終了よりもコンテンツの終了が遅い場合には、図１３に示すように、番組領域（Ｃ００１）よりも図形（Ｆ００３）の時間軸方向の長さを長くする。これらの例では、図形の下辺位置がコンテンツの終了時刻を表している。このような図形表示により、放送番組とコンテンツの終了時刻の先後を容易に理解することができる。さらに番組とコンテンツのいずれが早く終了するかによって、図形の色（濃度の違いや模様を含む）や形状を異ならせれば、さらに先後関係の理解が容易になる。
【００２１】
また、進行状況表示画面が、同内容のコンテンツの再生が終了した番組とその他の番組との区別を表す情報を含むとよい（たとえば図９、１１参照）。放送番組よりも短いコンテンツを視聴したり、コンテンツに対して早送りや未来方向へのスキップを実行したりすることで、放送番組よりも早くコンテンツの視聴が終了することがある。そのような視聴終了コンテンツをＥＰＧ上の進行状況表示画面で区別可能とすることで、ユーザの利便性が向上する。
【００２２】
（２）映像に合成する場合
進行状況表示画面が、放送中の番組の放送時間に対応する長さを有する第１のバー（たとえば図１７のＢ１０１ａ）と、コンテンツの再生時間に対応する長さを有する第２のバー（Ｂ１０２ａ）とを含むとよい。「バー」はＧＵＩ（Graphical User Interface）として描画されるものであり、「プログレスバー」や「棒グラフ」と称する場合もある。このバーを表示することで、実行されているタスク（ここでは、放送や再生）がどの程度の進行状況であるかをユーザが容易に視認することが可能となる。なお、第１のバーと第２のバーとは、時間軸上の位置を合わせて配置される。この第１のバーと第２のバーの時間軸方向の後端の位置を比較すれば（Ｌ１０２参照）、放送番組とコンテンツのどちらがどれくらい早く終了するかを容易に理解できる。
【００２３】
放送中の番組の代わりにコンテンツが再生されている場合、第２のバー上に、コンテンツの再生位置が示され（たとえば図１８のＢ１０２ｂ）、第１のバー上に、コンテンツの再生位置のシーンに対応する、番組中のシーンの位置が示されるとよい（Ｂ１０１ｂ）。これにより、コンテンツの再生が放送番組よりも先行しているのか（図１８参照）、遅行しているのか（図１９参照）を容易に把握できる。
【００２４】
また、進行状況表示画面が、第２のバー（図２４のＢ１０２ａ）と時間軸上の位置を合わせて配置される第３のバー（Ｂ４０１ａ）を含み、第３のバーが、同一チャンネルにおける次番組を表すものであるとよい。このような表示により、コンテンツの再生時間と次番組の放映時間とが一部で重なっており、コンテンツを最後まで視聴すると次番組の冒頭を見逃してしまうことがわかる。さらに図２６の例では、進行状況表示画面が、第２のバー（Ｂ１０２ａ）と時間軸上の位置を合わせて配置される第４のバー（Ｂ５０１ａ）を含む。第４のバーは、視聴予約がされている番組であって、且つ、コンテンツの終了時刻よりも早く放送が始まる番組を表している。このような表示により、コンテンツの再生時間と視聴予約番組の放映時間とが一部で重なっており、コンテンツを最後まで視聴すると視聴予約番組の冒頭を見逃してしまうことがわかる。
【００２５】
以下に図面を参照して、この発明の好適な実施の形態を例示的に詳しく説明する。まず図１、図３０を参照して、映像表示システムの全体構成と受信装置の内部構成を説明する。その後、具体的な実施例１〜４を説明する。
【００２６】
（全体構成）
図１は本発明の実施形態に係る映像表示システムの全体構成を示している。この映像表示システムは、映像受信装置１とモニタ６から構成される。
【００２７】
映像受信装置１はアンテナ２に接続され、図示しないテレビジョン送信局から放送波を受信可能である。また映像受信装置１は、インターネット（広域ネットワーク）３に接続され、ＶＯＤサーバ４からＶＯＤコンテンツと進行対応表を取得する。進行対応表は、ＶＯＤコンテンツのシーンと放送番組のシーンとを対応付けるデータである。進行対応表の詳細については後述する。ユーザはリモコン５を利用して、映像表示装置に対してチャンネルの選局要求、ＶＯＤコンテンツの再生、早送り、巻戻し、一時停止等の再生制御要求、あるいはＥＰＧ表示要求を送信する。放送番組あるいはＶＯＤコンテンツの映像、番組の進行状況はモニタ６に出力され、ユーザに供される。
【００２８】
図３０は、図１に記載した映像受信装置１の内部構成のブロック図である。
【００２９】
メインデコーダ７は、後述するチューナ８及びネットワークカード９より映像及び音声データを受信し、映像出力回路１２へ映像信号を出力する。またメインデコーダ７は、番組属性情報をメモリ１１に記録する。なお、メインデコーダ７からの音声データの出力については、図３０には図示していない。メインデコーダ７は、受信した放送信号を解析して、映像・音声・データに分離し、符号化された映像・音声をデコードする処理を担う。またメインデコーダ７は、映像受信装置１の内部状態及び外部からの入力信号の状態に応じて再生方法を変更する等の制御処理を実施する。映像受信装置１への入力信号は、上述のとおり、図１のリモコン５により入力されるユーザからの指示が例としてあげられる。
【００３０】
チューナ８は、放送波を受信し放送信号を取り出す処理を行う。チューナ８は、メインデコーダ７より特定の周波数への選局が指示されると、その周波数へ選局し、周波数に含まれる放送信号を抽出し、メインデコーダ７へ転送する。チューナ８は、一般的なデジタルテレビにおいては、地上デジタル放送用チューナおよびＢＳ／広帯域ＣＳデジタル放送用チューナを指す。
【００３１】
ネットワークカード９は、ネットワーク３とのインタフェースとなるブロックである。ＶＯＤコンテンツは、ネットワークカード９を介して、メインデコーダ７へ送信される。メインデコーダ７は受信したＶＯＤコンテンツに対して分離及び復号処理を施し、映像を映像出力回路１２に出力する。またメインデコーダ７は、ＶＯＤコンテンツと放送番組の進行を比較するデータ（進行対応表）をメモリ１１に記録する。
【００３２】
赤外線受光部１０は、図１のリモコン５より送信される赤外線信号を受信し、メインデコーダ７へ受信信号を送信する。なお、本実施形態では赤外線によるリモコン５からの信号受信を行っているが、これに限らない。
【００３３】
メモリ１１は、メインデコーダ７及びその他構成回路によって作成されたデータを一時保存する。メモリ１１の具体的な例としては、ＳＲＡＭ（Static Random Access Memory
）、ＤＲＡＭ（Dynamic Random Access Memory）、フラッシュメモリ、ＥＥＰＲＯＭ（Electronically Erasable Programmable Read Only Memory）がある。
【００３４】
映像出力回路１２は、メインデコーダ７より出力された映像信号を受信し、モニタ６に
適するフォーマットに変換して出力する。また映像信号の出力制御処理も担い、出力フレームレートに従いモニタ６へ映像信号を出力する。
【００３５】
内部バス１３は、映像受信装置１内の各構成ブロック間のデータ送受信を行う。
【００３６】
＜実施例１＞
本発明の実施例１は、放送番組とＶＯＤコンテンツの進行状況の差異をＥＰＧ上に表示する例である。
【００３７】
（映像受信装置）
図２は、本発明の実施例１に係る映像受信装置１の機能ブロック図である。
【００３８】
放送受信・再生部１００は、アンテナ２から入力された放送波から、選局チャンネルに該当する番組データを選択し、番組データを映像・音声・データに分離する。放送受信・再生部１００は、分離した映像ならびに音声を復号して入力切替部１０００を介してモニタ６や図示しないスピーカに出力し、データは番組属性情報やチャンネル情報に変換する。番組データは、番組を構成する映像信号や音声信号などをＭＰＥＧ２（Moving Picture
Experts Group 2：カラー動画像符号化方式標準化グループの第２規格）トランスポート・ストリーム（Transport Stream：ＴＳ）方式により多重化されている。放送受信・再生部１００において分離した映像・音声は、ＭＰＥＧ２方式により圧縮符号化されているため、放送受信・再生部１００において、それぞれ復号される。番組属性情報とは、放送番組の識別ＩＤや放送されるチャンネル、番組タイトル、放送開始日時、放送時間であり（図３参照）、ＥＰＧや番組情報表示、ＶＯＤコンテンツ検索等に用いる。チャンネル情報とは、番組が放送されるチャンネルに対応する放送局名やアイコンであり、ＥＰＧや番組情報表示に用いる。また、放送受信・再生部１００は、番組属性情報に含まれる現在時刻や現在日付に基づいて映像受信装置１内の現在日時を管理する。加えて、放送受信・再生部１００は、選局が行われたことを示す選局通知や番組属性情報が更新されたこと示す番組属性情報更新通知を同一コンテンツ検索部６００へ通知する。
【００３９】
ＶＯＤ受信・再生部２００は、同一コンテンツ検索部６００が出力したＶＯＤコンテンツの所在情報を用いて、ＶＯＤコンテンツをインターネット３上のＶＯＤサーバ４より受信し、再生制御部７００からの再生制御情報に従ってコンテンツを再生する。ここで、所在情報とは、インターネット上の情報資源に与えられた識別子であるＵＲＩ(Uniform Resource Identifier)である。再生制御情報とは、冒頭再生やシーン再生等の絶対位置指定
による再生指示、スキップ再生等の相対位置指定による再生指示、早送り再生や一時停止等の再生速度の変更指示である。また、ＶＯＤ受信・再生部２００は、ＶＯＤコンテンツと放送番組との時間的な関係を示す進行対応表をＶＯＤサーバ４から取得し、進行比較部８００に出力する。また、ＶＯＤ受信・再生部２００は、再生中のＶＯＤコンテンツに含まれるＶＯＤコンテンツ情報を保持する。ＶＯＤコンテンツ情報とは、ＶＯＤコンテンツ名、ＶＯＤコンテンツの再生時間である（図５Ｂ参照）。
【００４０】
ユーザインタフェース部３００は、ユーザからの「チャンネルアップ」、「Ｃｈ．Ａ選局」等の指示を受け取り、指示に従った動作がなされるよう選局制御部４００に対して選局要求を出力する。また、ユーザインタフェース部３００は、ユーザからの「次のシーンへのスキップ」、「早送り」、「冒頭再生」等の指示を受け取り、指示に従った動作がなされるよう再生制御部６００に対して再生制御要求を出力する。また、ユーザインタフェース部３００は、ユーザからの「ＥＰＧ表示」、「番組属性情報表示」の指示を受け取り、指示に従った動作がなされるよう進行状況表示画面作成部９００に対してＥＰＧ表示要求や番組属性情報表示要求を出力する。ここで、ユーザからの指示は、通常リモコンを介してなされ、「はい」「いいえ」等の選択肢を含んだ操作画面を伴うこともある。
【００４１】
選局制御部４００は、ユーザインタフェース部３００より受け取った選局要求に従った選局がなされるよう選局チャンネルを放送受信・再生部１００へ指示する。ＶＯＤコンテンツ視聴中に選局要求を受け取った場合は、放送番組の映像をモニタ６へ出力するよう入力切替部１０００に指示する。
【００４２】
番組情報管理部５００は、放送番組や放送予定番組に関する番組属性情報ならびにチャンネル情報を保持する。これらの番組属性情報ならびにチャンネル情報は、放送受信・再生部１００により定期的に更新される。
【００４３】
同一コンテンツ検索部６００は、放送受信・再生部１００からの選局通知を受け取ると、番組タイトル等の番組属性情報を番組情報管理部５００より取得し、選局された放送番組と同じＶＯＤコンテンツがＶＯＤサーバ４に存在しているかを検索する。同一ＶＯＤコンテンツが存在する場合は、ＶＯＤコンテンツの所在情報をＶＯＤ受信・再生部２００へ通知する。また、放送受信・再生部１００から番組属性情報更新通知を受け取った場合も同様にＶＯＤコンテンツの所在情報を取得し、ＶＯＤ受信・再生部２００へ通知する。
【００４４】
再生制御部７００は、ユーザインタフェース部３００より受け取った再生制御要求に従った再生制御がなされるようＶＯＤ受信・再生部２００へ指示する。放送視聴中に再生制御要求を受け取った場合は、再生制御部７００は、進行比較部８００よりＶＯＤコンテンツの再生位置を取得する。そして、再生制御部７００は、当該再生位置からＶＯＤコンテンツを再生するようにＶＯＤ受信・再生部２００へ指示するとともに、ＶＯＤコンテンツの映像をモニタ６へ出力するよう入力切替部１０００に指示する。
【００４５】
進行比較部８００は、放送番組とＶＯＤコンテンツの進行状況を比較するための進行対応表を管理する（図５Ａ参照）。進行比較部８００は、再生制御部７００の要求を受けて、視聴している放送番組の現在位置に対応するＶＯＤコンテンツの再生位置を進行対応表に基づいて決定し、再生制御部７００に出力する（図６参照）。また進行比較部８００は、進行状況表示画面作成部９００の要求を受けて、番組属性情報に記述されている放送番組とＶＯＤコンテンツの進行状況を比較し、進行比較結果を出力する（図７Ａおよび図７Ｂ参照）。進行比較部８００の詳細は後述する。
【００４６】
進行状況表示画面作成部９００は、ユーザインタフェース部３００より受け取ったＥＰＧ表示要求に従い、番組情報管理部５００から取得した番組属性情報やチャンネル情報、進行比較部８００から取得した進行比較結果からＥＰＧ画面を作成する。進行状況表示画面作成部９００の詳細は後述する。
【００４７】
入力切替部１０００は、再生制御部７００からの切替指示に従い、モニタ６へ出力する映像を切り替える。また、進行状況表示画面作成部９００がＥＰＧ画面を出力した場合は、表示を切り替えてＥＰＧ画面をモニタ６へ出力する。加えて、現在の出力元が放送番組であるかＶＯＤコンテンツであるかの情報を保持する。ＥＰＧ画面を出力している場合は、直前に視聴していた出力元を現在の出力元として保持する。
【００４８】
（番組属性情報）
図３は、番組情報管理部５００で管理する番組属性情報を示したものである。Ｔ００１は、識別ＩＤ「ＩＤ１」、チャンネル「Ｃｈ．Ａ」で番組タイトル「映画  ＊＊は＋＋だった」という番組が、「２００７年１１月１日１８時０分０秒」から「０時間６０分０秒」間放送されることを表す。Ｔ００２は、識別ＩＤ「ＩＤ２」、チャンネル「Ｃｈ．Ａ」で番組タイトル「バラエティ△  □□□について語る」という番組が、「２００７年１１月１日１９時０分０秒」から「０時間６０分０秒」間放送されることを表す。Ｔ００３は
、識別ＩＤ「ＩＤ３」、チャンネル「Ｃｈ．Ｂ」で番組タイトル「６時のニュース  ○○事件続報！」という番組が、「２００７年１１月１日１８時０分０秒」から「０時間６０分０秒」間放送されることを表す。Ｔ００４は、識別ＩＤ「ＩＤ４」、チャンネル「Ｃｈ．Ｂ」で番組タイトル「アニメ  ○○○○  ついに△△登場！？」という番組が、「２００７年１１月１日１９時０分０秒」から「０時間６０分０秒」間放送されることを表す。
【００４９】
（進行対応表）
図４は、図３のＴ００１に示した放送番組「映画  ＊＊は＋＋だった」について、放送番組の進行とＶＯＤコンテンツの進行を比較したイメージ図である。放送番組ならびにＶＯＤコンテンツの本編０１〜本編０３は同一のシーンであるが、放送番組には、ＶＯＤコンテンツには存在しない１分間のＣＭ０１、各２分間のＣＭ０２ならびにＣＭ０３が挿入されている。そのため、ＶＯＤコンテンツを視聴した場合は放送番組を視聴した場合より５分短い時間で視聴が終了する。
【００５０】
図５Ａは、「映画  ＊＊は＋＋だった」に関する進行対応表である。Ｔ１０１ａは、図４のＣＭ０１のシーンと対応しており、１分間のシーンが放送番組上では００時００分００秒に開始されるが、ＶＯＤコンテンツ上には当該シーンが存在しないことを表す。Ｔ１０２ａは図４の本編０１のシーンと対応しており、２０分間のシーンが放送番組上では００時０１分００秒に、ＶＯＤコンテンツ上では００時００分００秒に開始されることを表す。Ｔ１０３ａは、図４のＣＭ０２のシーンと対応しており、２分間のシーンが放送番組上では００時２１分００秒に開始されるが、ＶＯＤコンテンツ上には当該シーンが存在しないことを表す。Ｔ１０４ａは図４の本編０２のシーンと対応しており、２０分間のシーンが放送番組上では００時２３分００秒に、ＶＯＤコンテンツ上では００時２０分００秒に開始されることを表す。Ｔ１０５ａは、図４のＣＭ０３のシーンと対応しており、２分間のシーンが放送番組上では００時４３分００秒に開始されるが、ＶＯＤコンテンツ上には当該シーンが存在しないことを表す。Ｔ１０６ａは図４の本編０３のシーンと対応しており、１５分間のシーンが放送番組上では００時４５分００秒に、ＶＯＤコンテンツ上では００時４０分００秒に開始されることを表す。進行比較部８００は、図５Ａのような進行対応表を放送番組やＶＯＤコンテンツに対応付けて管理し、番組属性情報やＶＯＤコンテンツ情報を用いて所望の進行対応表を選択して使用する。
【００５１】
（ＶＯＤコンテンツ情報）
図５Ｂは、ＶＯＤ受信・再生部２００がＶＯＤコンテンツ「映画  ＊＊は＋＋だった」を取得した際に保持しているＶＯＤコンテンツ情報である。Ｔ１０１ｂは、ＶＯＤコンテンツ名が「映画  ＊＊は＋＋だった」、ＶＯＤコンテンツの再生時間が「０時間５５分０秒」であることを表している。
【００５２】
（ＶＯＤコンテンツの再生位置の決定）
図６は、進行比較部８００が、再生制御部７００に対して、視聴している放送番組の現在位置に対応するＶＯＤコンテンツの再生位置を出力する動作を示すフローチャートである。図６に沿って、図３〜図５に示した放送番組「映画  ＊＊は＋＋だった」を視聴中の「２００７年１１月１日１８時２１分３０秒」時点でＶＯＤコンテンツの再生位置を出力する場合の動作を説明する。
【００５３】
進行比較部８００は、放送受信・再生部１００から選局チャンネル「Ｃｈ．Ａ」と現在日時「２００７年１１月１日１８時２１分３０秒」を取得する（Ｓ８００１ａ）。次に、進行比較部８００は、選局チャンネルと現在日時を条件に番組属性情報を検索し、当該放送番組の放送開始日時「２００７年１１月１日１８時０分０秒」を取得する（Ｓ８００２ａ）。進行比較部８００は、現在日時と放送開始日時の差から放送経過時間「０時間２１分３０秒」を算出する（Ｓ８００３ａ）。その後、進行比較部８００は、当該放送番組に
対応する進行対応表を選択し（Ｓ８００４ａ）、選択した進行対応表に基づいて放送経過時間に対応するＶＯＤコンテンツの再生位置を算出する（Ｓ８００５ａ）。最後に、進行比較部８００は、ＶＯＤコンテンツの再生位置を再生制御部７００に出力する（Ｓ８００６ａ）。
【００５４】
図５Ａによれば、放送経過時刻「０時間２１分３０秒」は、ＶＯＤコンテンツ上には存在しないシーン（Ｔ１０３ａ）に含まれており、本編０１の再生は終了している。そのため、ＶＯＤコンテンツはＴ１０４ａに示す本編０２の冒頭から再生することになり、再生位置は「０時間２０分０秒」となる。
【００５５】
（進行状況の比較）
図７Ａおよび図７Ｂは、進行比較部８００が、進行状況表示画面作成部９００に対して、進行比較結果を出力する動作を示すフローチャートである。図７Ａおよび図７Ｂに沿って、図３〜図５に示した放送番組「映画  ＊＊は＋＋だった」を視聴中の「２００７年１１月１日１８時２１分３０秒」時点で進行比較結果を出力する場合の動作を説明する。なお、ここでは、図５に示した「映画  ＊＊は＋＋だった」以外のＶＯＤコンテンツは存在しないものとする。
【００５６】
進行比較部８００は、放送受信・再生部１００から選局チャンネル「Ｃｈ．Ａ」と現在日時「２００７年１１月１日１８時２１分３０秒」を取得する（Ｓ８００１ｂ）。次に、進行比較部８００は、番組情報管理部５００から番組属性情報を取得する（Ｓ８００２ｂ）。次に、進行比較部８００は、取得した番組属性情報を条件に進行比較部８００で管理している進行対応表を検索して、放送番組に対応する進行対応表が存在するか否かを判定する（Ｓ８００３ｂ）。
【００５７】
「映画  ＊＊は＋＋だった」の場合は、進行対応表が存在するため、ＶＯＤコンテンツあり（Ｓ８００３ｂのＹ）と判定される。図３に示した識別ＩＤ「ＩＤ２」の「バラエティ△  □□□について語る」、識別ＩＤ「ＩＤ３」の「６時のニュース  ○○事件続報！」、識別ＩＤ「ＩＤ４」の「アニメ  ○○○○  ついに△△登場！？」の場合、対応する進行対応表が存在しない。進行対応表が存在しない番組については、Ｓ８００４ｂ〜Ｓ８０１２ｂまでの処理が行われず（Ｓ８００３ｂのＮ）、ＶＯＤ視聴に要する時間が算出されない。
【００５８】
次に、進行比較部８００は、現在日時と当該放送番組の放送開始日時の差から放送経過時間を算出する（Ｓ８００４ｂ）。「映画  ＊＊は＋＋だった」の場合は、現在日時が「２００７年１１月１日１８時２１分３０秒」、放送開始日時が「２００７年１１月１日１８時０分０秒」であるため、放送経過時刻は「０時間２１分３０秒」となる。次に、進行比較部８００は、進行対応表において、ＶＯＤコンテンツ上の時刻が記述されているシーンの継続時間の和から、ＶＯＤコンテンツの再生時間を算出する（Ｓ８００５ｂ）。「映画  ＊＊は＋＋だった」の場合は、図５Ａの進行対応表より「０時間５５分０秒」となる。
【００５９】
次に、進行比較部８００は、入力切替部１０００の出力元とＶＯＤ受信・再生部２００のＶＯＤコンテンツ情報を取得し（Ｓ８００６ｂ）、該当ＶＯＤコンテンツの視聴状況を導出する（Ｓ８００７ｂ）。「該当ＶＯＤコンテンツの視聴状況」とは、「比較対象の放送番組に対応するＶＯＤコンテンツを視聴している」、「放送番組を視聴している」、「比較対象の放送番組に対応しないＶＯＤコンテンツを視聴している」、のいずれかである。この例では入力切替部１０００の出力元が放送番組であるため、該当ＶＯＤコンテンツの視聴状況は「放送番組を視聴している」となる。
【００６０】
次に、進行比較部８００は、該当ＶＯＤコンテンツの視聴状況から、比較対象の放送番組に対応するＶＯＤコンテンツを視聴しているか否かを判定する（Ｓ８００８ｂ）。この例では、放送番組を視聴しており、Ｓ８００８ｂのＮの場合に該当するため、「映画  ＊＊は＋＋だった」の進行対応表に基づいて放送経過時間に対応するＶＯＤコンテンツの再生位置を取得する（Ｓ８０１０ｂ）。図５Ａによれば、放送経過時刻「０時間２１分３０秒」は、ＶＯＤコンテンツ上には存在しないシーン（Ｔ１０３ａ）に含まれており、本編０１の再生は終了している。そのため、ＶＯＤコンテンツはＴ１０４ａに示す本編０２の冒頭から再生することになり、再生位置は「０時間２０分０秒」となる。なお、比較対象の放送番組に対応するＶＯＤコンテンツを視聴している場合（Ｓ８００８ｂのＹ）については後述する。
【００６１】
その後、進行比較部８００は、ＶＯＤコンテンツの再生時間「０時間５５分０秒」とＶＯＤコンテンツの再生位置「０時間２０分０秒」の差からＶＯＤコンテンツの残り時間「０時間３５分０秒」を算出する（Ｓ８０１１ｂ）。進行比較部８００は、放送経過時間「０時間２１分３０秒」にＶＯＤコンテンツの残り時間を加えてＶＯＤ視聴に要する時間「０時間５６分３０秒」を算出する（Ｓ８０１２ｂ）。
【００６２】
進行比較部８００は、これらのＳ８００３ｂ〜Ｓ８０１２ｂの処理を番組属性情報ごとに繰り返して、各放送番組の識別ＩＤを取得し、ＶＯＤコンテンツの視聴状況や対応するＶＯＤコンテンツの視聴に要する時間を導出する。
【００６３】
最後に、進行比較部８００は、選局チャンネル、現在日時、該当ＶＯＤコンテンツの視聴状況、各放送番組の識別ＩＤ、対応するＶＯＤコンテンツの視聴に要する時間を、進行比較結果として出力する（Ｓ８０１３ｂ）。複数の進行対応表が存在した場合は、ＶＯＤコンテンツの視聴状況〜ＶＯＤコンテンツの視聴に要する時間までを進行対応表分繰り返す。この場合、出力する進行比較結果は「Ｃｈ．Ａ、２００７年１１月１日１８時２１分３０秒、放送番組を視聴している、ＩＤ１、０時間５６分３０秒」となる。
【００６４】
（進行状況の表示）
図８は、ユーザインタフェース部３００からＥＰＧ表示要求を受けた際の進行状況表示画面作成部９００の動作を示すフローチャートである。図８に沿って、図３〜図５に示した放送番組「映画  ＊＊は＋＋だった」を視聴中の「２００７年１１月１日１８時２１分３０秒」時点でＥＰＧ表示要求を受けた場合の動作を説明する。
【００６５】
進行状況表示画面作成部９００は、進行比較部８００から進行比較結果「Ｃｈ．Ａ、２００７年１１月１日１８時２１分３０秒、放送番組を視聴している、ＩＤ１、０時間５６分３０秒」を取得する（Ｓ９００１）。次に、進行状況表示画面作成部９００は、番組情報管理部５００から、ＥＰＧ画面に表示するための番組属性情報、チャンネル情報を取得し（Ｓ９００２）、ＥＰＧ画面を作成する（Ｓ９００３）。
【００６６】
次に、進行状況表示画面作成部９００は、進行比較結果のＶＯＤ視聴に要する時間に基づいて、ＥＰＧ画面上に表示する比較結果の大きさを決定する（Ｓ９００４）。「映画  ＊＊は＋＋だった」の場合、ＶＯＤコンテンツの視聴に要する時間は「０時間５６分３０秒」であり、放送時間は「０時間６０分０秒」であるため、ＥＰＧ画面上の当該放送番組に関する部分より小さくなる。
【００６７】
その後、進行状況表示画面作成部９００は、該当ＶＯＤコンテンツの視聴状況とＶＯＤ視聴に要する時間に基づいて、比較結果の表示色を決定し（Ｓ９００５）、比較結果を対応するＥＰＧ画面上の放送番組部分に描画する（Ｓ９００６）。最後に、進行状況表示画面作成部９００は、作成したＥＰＧ画面を入力切替部１０００に出力する（Ｓ９００７）
。
【００６８】
図９は、図３〜図５に示した放送番組「映画  ＊＊は＋＋だった」を視聴中の「２００７年１１月１日１８時２１分３０秒」時点でＥＰＧ表示要求を受けた場合のＥＰＧ画面の一部を示したものである。ＥＰＧ画面は、新聞のラジオ・テレビ欄と同様に、縦軸に時間を、横軸にチャンネルを取り、放送番組の番組タイトルを、図３に示した番組属性情報に基づいて、当該放送番組が放送されるチャンネルと放送時間に対応するセルに表示する。行ラベルＴＩ００１は、「午後６時」を表す。行ラベルＴＩ００２は、「午後７時」を表す。アイコンＩ００１は、「Ｃｈ．Ａ」を示す列ラベルを表す。アイコンＩ００２は、「Ｃｈ．Ｂ」を示す列ラベルを表す。セルＣ００１は、「Ｃｈ．Ａ」で「２００７年１１月１日１８時０分０秒」から「０時間６０分０秒」間放送される「映画  ＊＊は＋＋だった」の番組タイトルを表す。セルＣ００２は、チャンネル「Ｃｈ．Ｂ」で「２００７年１１月１日１８時０分０秒」から「０時間６０分０秒」間放送される「６時のニュース  ○○事件続報！」の番組タイトルを表す。セルＣ００３は、チャンネル「Ｃｈ．Ａ」で「２００７年１１月１日１９時０分０秒」から「０時間６０分０秒」間放送される「バラエティ△  □□□について語る」の番組タイトルを表す。セルＣ００４は、チャンネル「Ｃｈ．Ｂ」で「２００７年１１月１日１９時０分０秒」から「０時間６０分０秒」間放送される「アニメ  ○○○○  ついに△△登場！？」の番組タイトルを表す。
【００６９】
図形Ｆ００１は、進行比較結果をＥＰＧ上に表したものである。現在視聴している放送番組を表すセルＣ００１上に、ＶＯＤコンテンツの視聴に要する時間に該当する大きさで表示する。進行比較結果によると、「映画  ＊＊は＋＋だった」をＶＯＤコンテンツで視聴するのに要する時間は「０時間５６分３０秒」であり、放送番組で視聴した場合に比べて短い時間で視聴できる。よって、図形Ｆ００１は、放送番組を表すセルＣ００１より時間方向の線の長さが短い図形として表示される。
【００７０】
この結果、ユーザはＥＰＧ画面を表示すれば、当該放送番組をより早く見終わることができるＶＯＤコンテンツの存在を把握できる。
【００７１】
（進行状況の他の表示例）
次に、ユーザの「次のシーンへのスキップ」操作によってＶＯＤコンテンツの視聴に切り替わった後に、ＥＰＧ画面を表示した場合の進行比較部８００の動作について説明する。
【００７２】
図１０は、図３〜５で示した放送番組「映画  ＊＊は＋＋だった」を視聴中の「２００７年１１月１日１８時２１分０秒」時点で、ユーザが「次のシーンへのスキップ」操作を行ったことによって、ＶＯＤコンテンツの視聴に切り替わった例である。図４と重複する本編０１、本編０２、本編０３、ＣＭ０１、ＣＭ０２、ＣＭ０３については説明を省略する。「１８時２１分０秒」は、ＣＭ０２が開始した時刻であり、当該時刻に「次のシーンへのスキップ」を行うと、図５Ａの進行対応表に基づいてＣＭ０２（Ｔ１０３ａ）の次のシーン、すなわち本編０２（Ｔ１０４ａ）のシーンからＶＯＤコンテンツが再生される。放送番組のＣＭ０２以降（Ａ）は、ＶＯＤコンテンツを視聴するため視聴されず、ＶＯＤコンテンツの本編０１は放送番組で視聴済みであるため、再生されない。
【００７３】
図１０の「２００７年１１月１日１８時２５分０秒」時点での進行比較部８００の動作を、図７Ａおよび図７Ｂを用いて説明する。なお、ここでは、図５Ａに示した「映画  ＊＊は＋＋だった」以外のＶＯＤコンテンツは存在しないものとする。また、番組属性情報ごとの繰り返しについては説明を省略し「映画  ＊＊は＋＋だった」についてのみ説明する。
【００７４】
進行比較部８００は、放送受信・再生部１００から選局チャンネル「Ｃｈ．Ａ」と現在日時「２００７年１１月１日１８時２５分０秒」を取得する（Ｓ８００１ｂ）。次に、進行比較部８００は、番組情報管理部５００から番組属性情報を取得する（Ｓ８００２ｂ）。次に、進行比較部８００は、取得した番組属性情報を条件に進行比較部８００で管理している進行対応表を検索して、放送番組に対応する進行対応表が存在するか否かを判定する（Ｓ８００３ｂ）。この場合、進行対応表が存在するため、ＶＯＤコンテンツあり（Ｓ８００３ｂのＹ）と判定される。
【００７５】
次に、進行比較部８００は、現在日時と当該放送番組の放送開始日時の差から放送経過時間を算出する（Ｓ８００４ｂ）。この場合、現在日時が「２００７年１１月１日１８時２５分０秒」、放送開始日時が「２００７年１１月１日１８時０分０秒」であるため、放送経過時間は「０時間２５分０秒」となる。次に、進行比較部８００は、進行対応表において、ＶＯＤコンテンツ上の時刻が記述されているシーンの継続時間の和から、ＶＯＤコンテンツの再生時間を算出する（Ｓ８００５ｂ）。この場合、図５Ａの進行対応表より「０時間５５分０秒」となる。
【００７６】
次に、進行比較部８００は、入力切替部１０００の出力元とＶＯＤ受信・再生部２００のＶＯＤコンテンツ情報を取得し（Ｓ８００６ｂ）、該当ＶＯＤコンテンツの視聴状況を導出する（Ｓ８００７ｂ）。この場合、入力切替部１０００の出力元がＶＯＤコンテンツであり、ＶＯＤコンテンツ名と番組タイトルが一致することから、該当ＶＯＤコンテンツの視聴状況は「比較対象の放送番組に対応するＶＯＤコンテンツを視聴している」となる。
【００７７】
次に、進行比較部８００は、該当ＶＯＤコンテンツの視聴状況から比較対象の放送番組と対応するＶＯＤコンテンツを視聴しているか否かを判定する（Ｓ８００８ｂ）。この場合、比較対象の放送番組に対応するＶＯＤコンテンツを視聴しており、Ｓ８００８ｂのＹの場合に該当するため、ＶＯＤ受信・再生部２００から再生中のＶＯＤコンテンツの再生位置を取得する（Ｓ８００９ｂ）。ＶＯＤコンテンツの再生位置は、ＶＯＤコンテンツの視聴に切り替えてからＥＰＧ表示要求が入力されるまでの経過時間が４分であるため、未視聴の本編０１の時間に、本編０２の視聴時間を加えた「０時間２４分０秒」となる。
【００７８】
その後、進行比較部８００は、ＶＯＤコンテンツの再生時間「０時間５５分０秒」とＶＯＤコンテンツの再生位置「０時間２４分０秒」の差からＶＯＤコンテンツの残り時間「０時間３１分０秒」を算出する（Ｓ８０１１ｂ）。進行比較部８００は、放送経過時間「０時間２５分０秒」にＶＯＤコンテンツの残り時間を加えてＶＯＤ視聴に要する時間「０時間５６分０秒」を算出する（Ｓ８０１２ｂ）。
【００７９】
最後に、進行比較部８００は、選局チャンネル、現在日時、該当ＶＯＤコンテンツの視聴状況、各放送番組の識別ＩＤ、ＶＯＤコンテンツの視聴に要する時間を、進行比較結果として出力する（Ｓ８０１３ｂ）。この場合、出力する進行比較結果は「Ｃｈ．Ａ、２００７年１１月１日１８時２５分０秒、「比較対象の放送番組に対応するＶＯＤコンテンツを視聴している」、ＩＤ１、０時間５６分０秒」となる。
【００８０】
図１１は、「映画  ＊＊は＋＋だった」のＶＯＤコンテンツを視聴中の「２００７年１１月１日１８時２５分０秒」時点でＥＰＧ表示要求を受けた場合のＥＰＧ画面の一部を示したものである。行ラベルＴＩ００１、行ラベルＴＩ００２、アイコンＩ００１、アイコンＩ００２、セルＣ００１〜セルＣ００４については、図９と重複するため、説明を省略する。図形Ｆ００２は、進行比較結果をＥＰＧ上に表したものである。現在視聴しているＶＯＤコンテンツと同一の放送番組を表すセルＣ００１上に、ＶＯＤコンテンツの視聴に要する時間に該当する大きさで表示する。この場合、ＶＯＤコンテンツの視聴に要する時
間は「０時間５６分０秒」と、放送番組を視聴した場合に比べて短くなるため、図９の図形Ｆ００１と同様に、図形Ｆ００２も放送番組を表すセルＣ００１より時間方向の線の長さが短い図形として表示する。また、図形Ｆ００２は、放送番組ではなく、ＶＯＤコンテンツを視聴していることが判別できるように図９の図形Ｆ００１とは異なる色で表示する。
【００８１】
この結果、ユーザはＥＰＧ画面を表示すれば、現在ＶＯＤコンテンツを視聴しており、当該ＶＯＤコンテンツを視聴することで放送番組を視聴するより早く見終わることができることを把握できる。
【００８２】
（進行状況の他の表示例）
次に、ユーザの「冒頭再生」操作によって、ＶＯＤコンテンツの視聴に切り替わった後に、ＥＰＧ画面を表示した場合の進行比較部８００の動作について説明する。
【００８３】
図１２は、図３〜５で示した放送番組「映画  ＊＊は＋＋だった」を視聴中の「２００７年１１月１日１８時１１分０秒」時点で、ユーザが「冒頭再生」操作を行ったことによって、ＶＯＤコンテンツの視聴に切り替わった例である。図４と重複する本編０１、本編０２、本編０３、ＣＭ０１、ＣＭ０２、ＣＭ０３については説明を省略する。「１８時１１分０秒」は、本編０１の視聴途中であるが、当該時刻に「冒頭再生」を行うと、ＶＯＤコンテンツの本編０１が最初から再生される。１８時１１分０秒以降の放送番組のシーン（Ｂ）は、ＶＯＤコンテンツを視聴するため、視聴されない。
【００８４】
図１２の「２００７年１１月１日１８時２１分０秒」時点での進行比較部８００の動作を、図７Ａおよび図７Ｂを用いて説明する。なお、ここでは、図５Ａに示した「映画  ＊＊は＋＋だった」以外のＶＯＤコンテンツは存在しないものとする。また、番組属性情報ごとの繰り返しについては説明を省略し「映画  ＊＊は＋＋だった」についてのみ説明する。
【００８５】
進行比較部８００は、放送受信・再生部１００から選局チャンネル「Ｃｈ．Ａ」と現在日時「２００７年１１月１日１８時２１分０秒」を取得する（Ｓ８００１ｂ）。次に、進行比較部８００は、番組情報管理部５００から番組属性情報を取得する（Ｓ８００２ｂ）。次に、進行比較部８００は、取得した番組属性情報を条件に進行比較部８００で管理している進行対応表を検索して、放送番組に対応する進行対応表が存在するか否かを判定する（Ｓ８００３ｂ）。この場合、進行対応表が存在するため、ＶＯＤコンテンツあり（Ｓ８００３ｂのＹ）と判定される。
【００８６】
次に、進行比較部８００は、現在日時と当該放送番組の放送開始日時の差から放送経過時間を算出する（Ｓ８００４ｂ）。この場合、現在日時が「２００７年１１月１日１８時２５分０秒」、放送開始日時が「２００７年１１月１日１８時０分０秒」であるため、放送経過時間は「０時間２５分０秒」となる。次に、進行比較部８００は、進行対応表において、ＶＯＤコンテンツ上の時刻が記述されているシーンの継続時間の和から、ＶＯＤコンテンツの再生時間を算出する（Ｓ８００５ｂ）。この場合、図５Ａの進行対応表より「０時間５５分０秒」となる。
【００８７】
次に、進行比較部８００は、入力切替部１０００の出力元とＶＯＤ受信・再生部２００のＶＯＤコンテンツ情報を取得し（Ｓ８００６ｂ）、該当ＶＯＤコンテンツの視聴状況を導出する（Ｓ８００７ｂ）。この場合、該当ＶＯＤコンテンツの視聴状況は、入力切替部１０００の出力元がＶＯＤコンテンツであり、ＶＯＤコンテンツ名と番組タイトルが一致することから、「比較対象の放送番組に対応するＶＯＤコンテンツを視聴している」となる。
【００８８】
次に、進行比較部８００は、該当ＶＯＤコンテンツの視聴状況から比較対象の放送番組と対応するＶＯＤコンテンツを視聴しているか否かを判定する（Ｓ８００８ｂ）。この場合、比較対象の放送番組と対応するＶＯＤコンテンツを視聴しており、Ｓ８００８ｂのＹの場合に該当するため、ＶＯＤ受信・再生部２００から再生中のＶＯＤコンテンツの再生位置を取得する（Ｓ８００９ｂ）。ＶＯＤコンテンツの再生位置は、ＶＯＤコンテンツの視聴に切り替えてからＥＰＧ表示要求が入力されるまでの経過時間「０時間１０分０秒」となる。
【００８９】
その後、進行比較部８００は、ＶＯＤコンテンツの再生時間「０時間５５分０秒」とＶＯＤコンテンツの再生位置「０時間１０分０秒」の差からＶＯＤコンテンツの残り時間「０時間４５分０秒」を算出する（Ｓ８０１１ｂ）。進行比較部８００は、放送経過時間「０時間２１分０秒」にＶＯＤコンテンツの残り時間「０時間４５分０秒」を加えてＶＯＤ視聴に要する時間「０時間６６分０秒」を算出する（Ｓ８０１２ｂ）。
【００９０】
最後に、進行比較部８００は、選局チャンネル、現在日時、該当ＶＯＤコンテンツの視聴状況、各放送番組の識別ＩＤ、ＶＯＤコンテンツの視聴に要する時間を、進行比較結果として出力する（Ｓ８０１３ｂ）。この場合、出力する進行比較結果は「Ｃｈ．Ａ、２００７年１１月１日１８時２１分０秒、「比較対象の放送番組に対応するＶＯＤコンテンツを視聴している」、ＩＤ１、０時間６６分０秒」となる。
【００９１】
図１３は、「映画  ＊＊は＋＋だった」のＶＯＤコンテンツを視聴中の「２００７年１１月１日１８時２１分０秒」時点でＥＰＧ表示要求を受けた場合のＥＰＧ画面の一部を示したものである。行ラベルＴＩ００１、行ラベルＴＩ００２、アイコンＩ００１、アイコンＩ００２、セルＣ００１〜セルＣ００４については、図９と重複するため説明を省略する。図形Ｆ００３は、進行比較結果をＥＰＧ上に表したものである。現在視聴しているＶＯＤコンテンツと同一の放送番組を表すセルＣ００１上に、ＶＯＤコンテンツの視聴に要する時間に該当する大きさで表示する。この場合、ＶＯＤコンテンツの視聴に要する時間は「０時間６６分０秒」と、放送番組を視聴した場合に比べて長くなるため、図形Ｆ００３は放送番組を表すセルＣ００１より時間方向の線の長さが長い図形として表示する。また、図形Ｆ００３は、放送番組ではなくＶＯＤコンテンツを視聴していること、および視聴中のチャンネルで次の放送番組が開始されてもＶＯＤコンテンツが終了しないことが判別できるように図９の図形Ｆ００１や図１１の図形Ｆ００２とは異なる色で表示する。
【００９２】
この結果、ユーザはＥＰＧ画面を表示すれば、現在ＶＯＤコンテンツを視聴しており、当該ＶＯＤコンテンツを視聴することで次の放送番組をどの程度視聴できないかを把握できる。
【００９３】
このように、本実施例の放送受信装置は、放送番組とＶＯＤコンテンツの進行の差を比較して、ＶＯＤコンテンツを視聴した場合と放送番組を視聴した場合の所要時間をＥＰＧ画面上に重ねて表示する。これにより、ユーザは視聴中の放送番組がＶＯＤを視聴することによって早く見終わることを把握し、余った時間で他のチャンネルの番組を視聴する等、時間を有効に使うことができる。あるいは、ＶＯＤを視聴することによって次の放送番組にどの程度重複するのかを把握し、次の放送番組を録画する、次の番組の冒頭部分を見逃してもよいから継続してＶＯＤコンテンツを視聴する等、を判断することができる。
【００９４】
本実施例の放送受信装置は、ＥＰＧ画面を出力する際に、放送番組またはＶＯＤコンテンツの映像をＥＰＧ画面に切り替えているが、半透明のＥＰＧ画面を映像に重ね合わせてもよいし、現在時刻から数時間分のＥＰＧ画面を映像の一部に重ね合わせてもよい。
【００９５】
＜実施例２＞
実施例１では、放送番組とＶＯＤコンテンツの進行状況の差異をＥＰＧ画面上に表示する例について述べたが、実施例２では、進行状況の差異を番組属性情報（チャンネルバナー）として表示する例について述べる。なお、実施例１と重複する部分については説明を省略する。
【００９６】
（映像受信装置）
本発明の実施例２に係る映像受信装置１を、図２に示した機能ブロック図を用いて説明する。放送受信・再生部１００、ＶＯＤ受信・再生部２００、ユーザインタフェース部３００、選局制御部４００、番組情報管理部５００、同一コンテンツ検索部６００、再生制御部７００については実施例１における各部の機能と同様の機能を有するため説明を省略する。一方、本実施例における、進行比較部８００は、実施例１で説明した機能に加えて、進行状況表示画面作成部９００の要求を受けて、視聴している放送番組とＶＯＤコンテンツの進行状況を比較し、番組属性情報表示用進行比較結果を出力する機能を有する。本実施例における進行比較部８００の詳細は後述する。
【００９７】
本実施例における進行状況表示画面作成部９００は、実施例１で説明した機能に加えて、番組属性情報表示要求に従い、番組属性情報、チャンネル情報、進行比較結果から番組属性情報画面を作成し、入力切替部１０００に出力する機能を有する。本実施例における進行状況表示画面作成部９００の詳細は後述する。
【００９８】
入力切替部１０００は、実施例１で説明した入力切替部１０００の機能に加えて、放送番組あるいはＶＯＤコンテンツの映像上に、進行状況表示画面作成部９００が作成した番組属性情報画面を重ね合わせてモニタ６に出力する機能を有する。
【００９９】
（進行状況の比較）
図１４Ａおよび図１４Ｂは、進行比較部８００が進行状況表示画面作成部９００に対して、番組属性情報表示用進行比較結果を出力する動作を示すフローチャートである。図１４Ａおよび図１４Ｂに沿って、図３〜５に示した放送番組「映画  ＊＊は＋＋だった」を視聴中の「２００７年１１月１日１８時２１分３０秒」時点で進行比較結果を出力する場合の動作を説明する。
【０１００】
進行比較部８００は、放送受信・再生部１００から選局チャンネル「Ｃｈ．Ａ」と現在日時「２００７年１１月１日１８時２１分３０秒」を取得する（Ｓ８１０１）。次に、進行比較部８００は、番組情報管理部５００からＳ８１０１で取得した選局チャンネルと現在日時を条件に番組属性情報を取得する（Ｓ８１０２）。次に、進行比較部８００は、入力切替部１０００の出力元とＶＯＤ受信・再生部２００のＶＯＤコンテンツ情報を取得し（Ｓ８１０３）、該当ＶＯＤコンテンツの視聴状況を導出する（Ｓ８１０４）。この例では入力切替部１０００の出力元が放送番組であるため、該当ＶＯＤコンテンツの視聴状況は「放送番組を視聴している」となる。
【０１０１】
次に、進行比較部８００は、該当ＶＯＤコンテンツの視聴状況が「比較対象の放送番組に対応しないＶＯＤコンテンツを視聴している」であるか否かを判定する（Ｓ８１０５）。この例では、放送番組を視聴しており、Ｓ８１０５のＮの場合に該当する。進行比較部８００は、放送開始時刻「２００７年１１月１日１８時０分０秒」と放送時間「０時間６０分０秒」の和から放送番組の放送終了日時「２００７年１１月１日１９時０分０秒」を算出する（Ｓ８１０６）。次に、進行比較部８００は、現在日時「２００７年１１月１日１８時２１分３０秒」と放送開始日時「２００７年１１月１日１８時０分０秒」の差から放送経過時間「０時間２１分３０秒」を算出する（Ｓ８１０７）。
【０１０２】
次に、進行比較部８００は、取得した番組属性情報を条件に進行比較部８００で管理している進行対応表を検索して、放送番組に対応する進行対応表が存在するか否かを判定する（Ｓ８１０８）。この例では、進行対応表が存在しており、Ｓ８１０８のＹの場合に該当するため、進行比較部８００は、Ｓ８１０４で導出した該当ＶＯＤコンテンツの視聴状況が「放送番組を視聴している」であるか否かを判定する（Ｓ８１０９）。この例では、放送番組を視聴しており、Ｓ８１０９のＹの場合に該当するため、進行比較部８００は、進行対応表に基づいて放送経過時間に対応するＶＯＤコンテンツの再生位置を算出する（Ｓ８１１２）。図５Ａによれば、放送経過時刻「０時間２１分３０秒」は、ＶＯＤコンテンツ上には存在しないシーン（Ｔ１０３ａ）に含まれており、本編０１の再生は終了している。そのため、ＶＯＤコンテンツはＴ１０４ａに示す本編０２の冒頭から再生することになり、再生位置は「０時間２０分０秒」となる。次に、進行比較部８００は、放送経過時間「０時間２１分３０秒」を放送番組のＶＯＤコンテンツの再生位置に対応する放送番組のシーン放映位置に設定する（Ｓ８１１３）。
【０１０３】
次に、ＶＯＤコンテンツの再生時間「０時間５５分０秒」とＶＯＤコンテンツの再生位置「０時間２０分０秒」の差に現在日時「２００７年１１月１日１８時２１分３０秒」を加えて、ＶＯＤコンテンツ視聴終了日時が算出される（Ｓ８１１４）。この例では、ＶＯＤコンテンツ視聴終了日時は「２００７年１１月１日１８時５６分３０秒」となる。その後、ＶＯＤコンテンツ視聴終了日時と放送終了日時の差から終了時間差「−０時間３分３０秒」が算出される（Ｓ８１１５）。
【０１０４】
最後に、進行比較部８００は、番組属性情報表示用進行比較結果を出力する（Ｓ８１１８）。この進行比較結果は、選局チャンネル、現在日時、該当ＶＯＤコンテンツの視聴状況、放送番組の識別ＩＤ、放送経過時間、放送番組のシーン放映位置、ＶＯＤコンテンツの再生位置、ＶＯＤコンテンツ名、ＶＯＤコンテンツの再生時間、終了時間差を、含んでいる。この例では、「Ｃｈ．Ａ、２００７年１１月１日１８時２１分３０秒、放送番組を視聴している、ＩＤ１、０時間２１分３０秒、０時間２１分３０秒、０時間２０分０秒、映画  ＊＊は＋＋だった、０時間５５分０秒、−０時間３分３０秒」となる。
【０１０５】
なお、Ｓ８１０５においてＹと判定した場合、進行比較部８００は、ＶＯＤ受信・再生部２００からＶＯＤコンテンツの再生位置を取得し（Ｓ８１１７）、番組属性情報表示用進行比較結果を出力する（Ｓ８１１８）。このときの進行比較結果には、放送経過時間、放送番組のシーン放映位置、終了時間差が設定されない。
【０１０６】
また、Ｓ８１０８においてＮと判定した場合（すなわち放送番組に対応するＶＯＤコンテンツがない場合）、進行比較部８００は、放送経過時間を放送番組のシーン放映位置に設定し（Ｓ８１１６）、番組属性情報表示用進行比較結果を出力する（Ｓ８１１８）。このときの進行比較結果には、ＶＯＤコンテンツの再生位置、ＶＯＤコンテンツの再生時間、終了時間差、ＶＯＤコンテンツ名、ＶＯＤコンテンツの再生時間が設定されない。
【０１０７】
（進行状況の表示）
図１５Ａおよび図１５Ｂは、ユーザインタフェース部３００から番組属性情報表示要求を受けた際の進行状況表示画面作成部９００の動作を示すフローチャートである。図１５Ａおよび図１５Ｂに沿って、図３〜図５に示した放送番組「映画  ＊＊は＋＋だった」を視聴中の「２００７年１１月１日１８時２１分３０秒」時点で番組属性情報表示要求を受けた場合の動作を説明する。
【０１０８】
進行状況表示画面作成部９００は、進行比較部８００から、図１４Ａおよび図１４Ｂで説明した手順で算出した番組属性情報表示用進行比較結果を取得する（Ｓ９１０１）。この例では、「Ｃｈ．Ａ、２００７年１１月１日１８時２１分３０秒、放送番組を視聴して
いる、ＩＤ１、０時間２１分３０秒、０時間２１分３０秒、０時間２０分０秒、映画  ＊＊は＋＋だった、０時間５５分０秒、−０時間３分３０秒」が取得される。
【０１０９】
次に、進行状況表示画面作成部９００は、該当ＶＯＤコンテンツの視聴状況から、比較対象の放送番組と対応しないＶＯＤコンテンツを視聴しているか否かを判定する（Ｓ９１０２）。この場合、放送番組を視聴しており、Ｓ９１０２のＮに該当する。よって、進行状況表示画面作成部９００は、番組情報管理部５００から、選局チャンネル「Ｃｈ．Ａ」に基づいてチャンネル情報を取得し（Ｓ９１０３）、放送番組の識別ＩＤ「ＩＤ１」に基づいて番組属性情報を取得する（Ｓ９１０４）。次に、進行状況表示画面作成部９００は、放送時間を表示するバーの長さを決定し（Ｓ９１０５）、放送番組のシーン放映位置に基づいて放送開始から放送番組のシーン放映位置までを表示するバーの長さを決定する（Ｓ９１０６）。
【０１１０】
次に、進行状況表示画面作成部９００は、ＶＯＤコンテンツの再生時間を表示するバーの長さを決定し（Ｓ９１０７）、ＶＯＤコンテンツの再生位置に基づいてＶＯＤコンテンツの開始から再生位置までを表示するバーの長さを決定する（Ｓ９１０８）。ＶＯＤコンテンツの再生時間やＶＯＤコンテンツの再生位置が未設定の場合は、バーの長さを０に決定する。
【０１１１】
次に、進行状況表示画面作成部９００は、該当ＶＯＤコンテンツの視聴状況から、放送番組を視聴しているか否かを判定する（Ｓ９１０９）。この例では、放送番組を視聴しており、Ｓ９１０９のＹの場合に該当するため、主アイコンを選局チャンネルのアイコンに設定し（Ｓ９１１２）、放送番組のシーン放映位置から現在視聴中のシーンの位置を決定する（Ｓ９１１３）。次に、進行状況表示画面作成部９００は、放送経過時間とＶＯＤコンテンツの再生位置が一致するようにバーの位置を決定する（Ｓ９１１８）。ただし、ＶＯＤコンテンツの再生位置が未設定の場合、ＶＯＤコンテンツのバーの位置を放送開始日時の位置にあわせる。
【０１１２】
その後、進行状況表示画面作成部９００は、終了時間差が０より大きいか否かを判定する（Ｓ９１１９）。この場合、終了時間差は「−０時間３分３０秒」であるため、Ｓ９１１９のＮの場合に該当し、番組属性情報表示画面を作成して（Ｓ９１２１）、作成した番組属性情報画面を入力切替部１０００に出力する（Ｓ９１２２）。
【０１１３】
なお、Ｓ９１０２において比較対象の放送番組と対応しないＶＯＤコンテンツを視聴している場合（Ｓ９１０２のＹ）、主アイコンをＶＯＤコンテンツの視聴を表すアイコンに設定し（Ｓ９１１４）、ＶＯＤコンテンツ名を番組タイトルに設定する（Ｓ９１１５）。次に、ＶＯＤコンテンツの再生時間を表示するバーの長さを決定し（Ｓ９１１６）、ＶＯＤコンテンツの再生位置に基づいてＶＯＤコンテンツの開始から再生位置までを表示するバーの長さと、現在視聴中のシーンの位置を決定する（Ｓ９１１７）。最後に、番組属性情報表示画面を作成して（Ｓ９１２１）、作成した番組属性情報画面を入力切替部１０００に出力する（Ｓ９１２２）。また、Ｓ９１０９において放送番組を視聴していない場合（Ｓ９１０９のＮ）については後述する。Ｓ９１１９において終了時間差が０より大きい場合（Ｓ９１１９のＮ）についても後述する。
【０１１４】
図１６は、モニタ６への放送番組またはＶＯＤコンテンツ視聴中の番組属性情報表示画面の表示方法を示したイメージ図である。放送番組またはＶＯＤコンテンツを画面ＳＣ００１に表示し、その右上に番組属性情報表示画面ＳＣ００２を表示する。
【０１１５】
図１７は、番組属性情報表示画面ＳＣ００２の拡大図である。主アイコンＩ１０１は、放送番組を視聴していることを示す選局チャンネル「Ｃｈ．Ａ」のアイコンを表示する。
文字列ＴＸ１０１は、視聴中の放送番組の番組タイトル「映画  ＊＊は＋＋だった」を表示する。また、現在日時中の時間ならびに分を文字列ＴＸ１０２に表示する。アイコンＩ１０２は、選局チャンネル「Ｃｈ．Ａ」のアイコンを表示したものである。バーＢ１０１ａは、放送番組「Ｃｈ．Ａ」で放映中の放送番組「映画  ＊＊は＋＋だった」の放送時間を表したものである。バーＢ１０１ｂは、バーＢ１０１ａを放送番組の放送開始から放送番組のシーン放映位置まで塗りつぶしたものであり、放送番組の進行状況を提示している。アイコンＩ１０３は、ＶＯＤコンテンツであることを示すアイコンを表示したものである。バーＢ１０２ａは、ＶＯＤコンテンツ「映画  ＊＊は＋＋だった」のＶＯＤコンテンツの再生時間を表したものである。バーＢ１０２ｂは、バーＢ１０２ａをＶＯＤコンテンツの開始からＶＯＤコンテンツの再生位置まで塗りつぶしたものであり、放送番組の進行に対応するＶＯＤコンテンツの進行状況を提示している。なお、バーＢ１０１ａ、バーＢ１０１ｂ、バーＢ１０２ａ、バーＢ１０２ｂは同一スケールで表示することで、それぞれの時間を視覚的に比較できるように構成する。
【０１１６】
図形Ｆ１０１と線Ｌ１０１は、現在視聴中のシーンの位置を示したものであり、バーＢ１０１ａ中で放送番組の放送経過時間に該当する部分を通り、ＶＯＤコンテンツの再生位置（バーＢ１０２ｂの右端）が線Ｌ１０１に接するように描画する。この場合、放送番組の放送経過時間とシーン放映位置（バーＢ１０１ｂの右端）は等しい。また、放送番組の終了位置（バーＢ１０１ａの右端）に接するように線Ｌ１０２を描画する。加えて、終了時間差を文字列ＴＸ１０３に表示する。この場合、ＶＯＤコンテンツは放送番組より３分３０秒短い時間で終了するため、バーＢ１０２ａは線Ｌ１０２より３分３０秒分左側で終了する。
【０１１７】
この結果、ユーザは番組属性情報表示画面を表示すれば、ＶＯＤコンテンツを視聴することで当該放送番組をどの程度早く見終わることができるかを把握できる。
【０１１８】
（進行状況の他の表示例）
次に、ユーザの「次のシーンへのスキップ」操作によってＶＯＤコンテンツの視聴に切り替わった後に、番組属性情報表示画面を表示した場合の進行比較部８００ならびに進行状況表示画面作成部９００の動作について説明する。
【０１１９】
図１０の「２００７年１１月１日１８時２５分０秒」時点での進行比較部８００の動作を、図１４Ａおよび図１４Ｂを用いて説明する。進行比較部８００は、放送受信・再生部１００から選局チャンネル「Ｃｈ．Ａ」と現在日時「２００７年１１月１日１８時２５分０秒」を取得する（Ｓ８１０１）。進行比較部８００は、番組情報管理部５００からＳ８１０１で取得した選局チャンネルと現在日時を条件に番組属性情報を取得する（Ｓ８１０２）。次に、進行比較部８００は、入力切替部１０００の出力元とＶＯＤ受信・再生部２００のＶＯＤコンテンツ情報を取得し（Ｓ８１０３）、該当ＶＯＤコンテンツの視聴状況を導出する（Ｓ８１０４）。この例では、入力切替部１０００の出力元がＶＯＤコンテンツであり、ＶＯＤコンテンツ名と番組タイトルが一致することから、該当ＶＯＤコンテンツの視聴状況は「比較対象の放送番組に対応するＶＯＤコンテンツを視聴している」となる。
【０１２０】
次に、進行比較部８００は、該当ＶＯＤコンテンツの視聴状況から、比較対象の放送番組と対応しないＶＯＤコンテンツを視聴しているか否かを判定する（Ｓ８１０５）。この例では、比較対象の放送番組と対応するＶＯＤコンテンツを視聴しており、Ｓ８１０５のＮの場合に該当する。よって進行比較部８００は、放送開始時刻「２００７年１１月１日１８時０分０秒」と放送時間「０時間６０分０秒」の和から放送番組の放送終了日時「２００７年１１月１日１９時０分０秒」を算出する（Ｓ８１０６）。次に、進行比較部８００は、現在日時「２００７年１１月１日１８時２５分０秒」と放送開始日時「２００７年
１１月１日１８時０分０秒」の差から放送経過時間「０時間２５分０秒」を算出する（Ｓ８１０７）。次に、進行比較部８００は、取得した番組属性情報を条件に進行比較部８００で管理している進行対応表を検索して、放送番組に対応する進行対応表が存在するか否かを判定する（Ｓ８１０８）。この例では、進行対応表が存在しており、Ｓ８１０８のＹの場合に該当するため、進行比較部８００は、Ｓ８１０４で導出した該当ＶＯＤコンテンツの視聴状況が放送番組を視聴しているか否かを判定する（Ｓ８１０９）。この例では、比較対象の放送番組に対応するＶＯＤコンテンツを視聴しており、Ｓ８１０９のＮの場合に該当するため、進行比較部８００は、ＶＯＤ受信・再生部２００からＶＯＤコンテンツの再生位置を取得する（Ｓ８１１０）。ＶＯＤコンテンツの再生位置は、ＶＯＤコンテンツの視聴に切り替えてから番組属性情報表示要求が入力されるまでの経過時間が４分であるため、未視聴の本編０１の時間に、本編０２の視聴時間を加えた「０時間２４分０秒」となる。
【０１２１】
次に、進行比較部８００は、進行対応表からＶＯＤコンテンツの再生位置に対応する放送番組のシーン放映位置を算出する（Ｓ８１１１）。図５Ａによると、ＶＯＤコンテンツの再生位置「０時間２４分０秒」は、Ｔ１０４ａのシーン開始後４分経過した時点に該当する。よって、対応する放送番組のシーン放映位置は、Ｔ１０４ａの放送経過時刻から「０時間２７分０秒」となる。次に、進行比較部８００は、ＶＯＤコンテンツの再生時間「０時間５５分０秒」とＶＯＤコンテンツの再生位置「０時間２４分０秒」の差に現在日時「２００７年１１月１日１８時２５分０秒」を加えて、ＶＯＤコンテンツ視聴終了日時を算出する（Ｓ８１１４）。この例では、ＶＯＤコンテンツ視聴終了日時は「２００７年１１月１日１８時５６分０秒」となる。その後、進行比較部８００は、ＶＯＤコンテンツ視聴終了日時と放送終了日の差から終了時間差「−０時間４分０秒」を算出する（Ｓ８１１５）。
【０１２２】
最後に、進行比較部８００は、番組属性情報表示用進行比較結果を出力する（Ｓ８１１８）。この進行比較結果は、選局チャンネル、現在日時、該当ＶＯＤコンテンツの視聴状況、放送番組の識別ＩＤ、放送経過時間、放送番組のシーン放映位置、ＶＯＤコンテンツの再生位置、ＶＯＤコンテンツ名、ＶＯＤコンテンツの再生時間、終了時間差を、含んでいる。この例では、「Ｃｈ．Ａ、２００７年１１月１日１８時２５分０秒、比較対象の放送番組と対応するＶＯＤコンテンツを視聴している、ＩＤ１、０時間２５分０秒、０時間２７分０秒、０時間２４分０秒、映画  ＊＊は＋＋だった、０時間５５分０秒、−０時間４分０秒」となる。
【０１２３】
図１０の「２００７年１１月１日１８時２５分０秒」時点での進行状況表示画面作成部９００の動作を、図１５Ａおよび図１５Ｂを用いて説明する。
【０１２４】
進行状況表示画面作成部９００は、進行比較部８００から図１４Ａおよび図１４Ｂで説明した手順で算出した番組属性情報表示用進行比較結果を取得する（Ｓ９１０１）。この例では、「Ｃｈ．Ａ、２００７年１１月１日１８時２５分０秒、比較対象の放送番組に対応するＶＯＤコンテンツを視聴している、ＩＤ１、０時間２５分０秒、０時間２７分０秒、０時間２４分０秒、映画  ＊＊は＋＋だった、０時間５５分０秒、−０時間４分０秒」が取得される。
【０１２５】
次に、進行状況表示画面作成部９００は、該当ＶＯＤコンテンツの視聴状況から、比較対象の放送番組と対応しないＶＯＤコンテンツを視聴しているか否かを判定する（Ｓ９１０２）。この例では、比較対象の放送番組と対応するＶＯＤコンテンツを視聴しており、Ｓ９１０２のＮに該当するため、番組情報管理部５００から、選局チャンネル「Ｃｈ．Ａ」に基づいてチャンネル情報が取得される（Ｓ９１０３）。また、放送番組の識別ＩＤ「ＩＤ１」に基づいて番組属性情報が取得される（Ｓ９１０４）。次に、進行状況表示画面
作成部９００は、放送時間を表示するバーの長さを決定し（Ｓ９１０５）、放送番組のシーン放映位置に基づいて放送開始から放送番組のシーン放映位置までを表示するバーの長さを決定する（Ｓ９１０６）。次に、進行状況表示画面作成部９００は、ＶＯＤコンテンツの再生時間を表示するバーの長さを決定し（Ｓ９１０７）、ＶＯＤコンテンツの再生位置に基づいてＶＯＤコンテンツの開始から再生位置までを表示するバーの長さを決定する（Ｓ９１０８）。
【０１２６】
次に、進行状況表示画面作成部９００は、該当ＶＯＤコンテンツの視聴状況から、放送番組を視聴しているか否かを判定する（Ｓ９１０９）。この例では、比較対象の放送番組と対応するＶＯＤコンテンツを視聴しており、Ｓ９１０９のＮの場合に該当する。よって、主アイコンをＶＯＤコンテンツの視聴を表すアイコンに設定し（Ｓ９１１０）、ＶＯＤコンテンツの再生位置から現在視聴中のシーンの位置を決定する（Ｓ９１１１）。次に、進行状況表示画面作成部９００は、放送経過時間とＶＯＤコンテンツの再生位置が一致するようにバーの位置を決定する（Ｓ９１１８）。
【０１２７】
その後、進行状況表示画面作成部９００は、終了時間差が０より大きいか否かを判定する（Ｓ９１１９）。この例では、終了時間差は「−０時間４分０秒」であるため、Ｓ９１１９のＮの場合に該当し、番組属性情報表示画面を作成して（Ｓ９１２１）、作成した番組属性情報画面を入力切替部１０００に出力する（Ｓ９１２２）。
【０１２８】
図１８は、番組属性情報表示画面ＳＣ００２の拡大図である。なお、文字列ＴＸ１０１、文字列ＴＸ１０２、文字列ＴＸ１０３、アイコンＩ１０２、アイコンＩ１０３、バーＢ１０１ａ、バーＢ１０１ｂ、バーＢ１０２ａ、バーＢ１０２ｂ、線Ｌ１０２については、図１７と重複するため、説明を省略する。
【０１２９】
主アイコンＩ２０１は、ＶＯＤコンテンツの視聴を表すアイコンを表示する。図形Ｆ２０１と線Ｌ２０１は、現在視聴中のシーンの位置を示したものであり、バーＢ１０１ａ中で放送番組の放送経過時間に該当する部分を通り、ＶＯＤコンテンツの再生位置（Ｂ１０２ｂの右端）が線Ｌ２０１に接するように描画する。この例では、ＶＯＤコンテンツで放送経過時間よりも先の部分を視聴しているため、線Ｌ２０１はバーＢ１０１ｂの右端より左側に存在する。なお、図形Ｆ２０１は、ＶＯＤコンテンツを視聴していることがバー上でも判別できるように、図１７と異なり、バーＢ１０２ａ側に描画する。また、この例では、ＶＯＤコンテンツは放送番組より４分０秒短い時間で終了するため、バーＢ１０２ａは線Ｌ１０２より４分０秒分左側で終了する。
【０１３０】
この結果、ユーザはＶＯＤコンテンツを視聴することで当該放送番組をどの程度早く見終わることができるかに加えて、ＶＯＤコンテンツから放送番組に切り替えた場合にＶＯＤで視聴済みのシーンを視聴することになるかを把握できる。
【０１３１】
（進行状況の他の表示例）
次に、ユーザの「冒頭再生」操作によって、ＶＯＤコンテンツの視聴に切り替わった後に、番組属性情報表示画面を表示した場合の進行比較部８００ならびに進行状況表示画面作成部９００の動作について説明する。
【０１３２】
図１２の「２００７年１１月１日１８時２１分０秒」時点での進行比較部８００の動作を、図１４Ａおよび図１４Ｂを用いて説明する。進行比較部８００は、放送受信・再生部１００から選局チャンネル「Ｃｈ．Ａ」と現在日時「２００７年１１月１日１８時２１分０秒」を取得する（Ｓ８１０１）。次に、進行比較部８００は、番組情報管理部５００からＳ８１０１で取得した選局チャンネルと現在日時を条件に番組属性情報を取得する（Ｓ８１０２）。次に、進行比較部８００は、入力切替部１０００の出力元とＶＯＤ受信・再
生部２００のＶＯＤコンテンツ情報を取得し（Ｓ８１０３）、該当ＶＯＤコンテンツの視聴状況を導出する（Ｓ８１０４）。この例では、入力切替部１０００の出力元がＶＯＤコンテンツであり、ＶＯＤコンテンツ名と番組タイトルが一致することから、該当ＶＯＤコンテンツの視聴状況は「比較対象の放送番組に対応するＶＯＤコンテンツを視聴している」となる。
【０１３３】
次に、進行比較部８００は、該当ＶＯＤコンテンツの視聴状況から、比較対象の放送番組と対応しないＶＯＤコンテンツを視聴しているか否かを判定する（Ｓ８１０５）。この例では、比較対象の放送番組と対応するＶＯＤコンテンツを視聴しており、Ｓ８１０５のＮの場合に該当する。よって、進行比較部８００は、放送開始時刻「２００７年１１月１日１８時０分０秒」と放送時間「０時間６０分０秒」の和から放送番組の放送終了日時「２００７年１１月１日１９時０分０秒」を算出する（Ｓ８１０６）。次に、進行比較部８００は、現在日時「２００７年１１月１日１８時２１分０秒」と放送開始日時「２００７年１１月１日１８時０分０秒」の差から放送経過時間「０時間２５分０秒」を算出する（Ｓ８１０７）。次に、進行比較部８００は、取得した番組属性情報を条件に進行比較部８００で管理している進行対応表を検索して、放送番組に対応する進行対応表が存在するか否かを判定する（Ｓ８１０８）。この例では、進行対応表が存在しており、Ｓ８１０８のＹの場合に該当するため、進行比較部８００は、Ｓ８１０４で導出した該当ＶＯＤコンテンツの視聴状況が放送番組を視聴しているか否かを判定する（Ｓ８１０９）。この例では、比較対象の放送番組と対応するＶＯＤコンテンツを視聴しており、Ｓ８１０９のＮの場合に該当するため、進行比較部８００は、ＶＯＤ受信・再生部２００からＶＯＤコンテンツの再生位置を取得する（Ｓ８１１０）。ＶＯＤコンテンツの再生位置は、ＶＯＤコンテンツの視聴に切り替えてから番組属性情報表示要求が入力されるまでの経過時間「０時間１０分０秒」となる。
【０１３４】
次に、進行比較部８００は、進行対応表からＶＯＤコンテンツの再生位置に対応する放送番組のシーン放映位置を算出する（Ｓ８１１１）。図５Ａによると、ＶＯＤコンテンツの再生位置「０時間１０分０秒」は、Ｔ１０２ａのシーン開始後１０分経過した時点に該当する。よって、対応する放送番組のシーン放映位置は、Ｔ１０２ａの放送経過時刻から「０時間１１分０秒」となる。次に、進行比較部８００は、ＶＯＤコンテンツの再生時間「０時間５５分０秒」とＶＯＤコンテンツの再生位置「０時間１０分０秒」の差に現在日時「２００７年１１月１日１８時２１分０秒」を加えて、ＶＯＤコンテンツ視聴終了日時を算出する（Ｓ８１１４）。この例では、ＶＯＤコンテンツ視聴終了日時は「２００７年１１月１日１９時６分０秒」となる。その後、進行比較部８００は、ＶＯＤコンテンツ視聴終了日時と放送終了日の差から終了時間差「＋０時間６分０秒」を算出する（Ｓ８１１５）。
【０１３５】
最後に、進行比較部８００は、番組属性情報表示用進行比較結果を出力する（Ｓ８１１８）。この進行比較結果は、選局チャンネル、現在日時、該当ＶＯＤコンテンツの視聴状況、放送番組の識別ＩＤ、放送経過時間、放送番組のシーン放映位置、ＶＯＤコンテンツの再生位置、ＶＯＤコンテンツ名、ＶＯＤコンテンツの再生時間、終了時間差を、含んでいる。この例では、「Ｃｈ．Ａ、２００７年１１月１日１８時２１分０秒、比較対象の放送番組と対応するＶＯＤコンテンツを視聴している、ＩＤ１、０時間２１分０秒、０時間１１分０秒、０時間１０分０秒、映画  ＊＊は＋＋だった、０時間５５分０秒、＋０時間６分０秒」となる。
【０１３６】
図１０の「２００７年１１月１日１８時２１分０秒」時点での進行状況表示画面作成部９００の動作を、図１５Ａおよび図１５Ｂを用いて説明する。
【０１３７】
進行状況表示画面作成部９００は、進行比較部８００から図１４Ａおよび図１４Ｂで説
明した手順で算出した番組属性情報表示用進行比較結果を取得する（Ｓ９１０１）。この例では、「Ｃｈ．Ａ、２００７年１１月１日１８時２１分０秒、比較対象の放送番組と対応するＶＯＤコンテンツを視聴している、ＩＤ１、０時間２１分０秒、０時間１１分０秒、０時間１０分０秒、映画  ＊＊は＋＋だった、０時間５５分０秒、＋０時間６分０秒」が取得される。
【０１３８】
次に、進行状況表示画面作成部９００は、該当ＶＯＤコンテンツの視聴状況から、比較対象の放送番組と対応しないＶＯＤコンテンツを視聴しているか否かを判定する（Ｓ９１０２）。この例では、比較対象の放送番組と対応するＶＯＤコンテンツを視聴しており、Ｓ９１０２のＮに該当するため、番組情報管理部５００から、選局チャンネル「Ｃｈ．Ａ」に基づいてチャンネル情報が取得される（Ｓ９１０３）。また、放送番組の識別ＩＤ「ＩＤ１」に基づいて番組属性情報が取得される（Ｓ９１０４）。次に、進行状況表示画面作成部９００は、放送時間を表示するバーの長さを決定し（Ｓ９１０５）、放送番組のシーン放映位置に基づいて放送開始から放送番組のシーン放映位置までを表示するバーの長さを決定する（Ｓ９１０６）。次に、進行状況表示画面作成部９００は、ＶＯＤコンテンツの再生時間を表示するバーの長さを決定し（Ｓ９１０７）、ＶＯＤコンテンツの再生位置に基づいてＶＯＤコンテンツの開始からＶＯＤコンテンツの再生位置までを表示するバーの長さを決定する（Ｓ９１０８）。
【０１３９】
次に、進行状況表示画面作成部９００は、該当ＶＯＤコンテンツの視聴状況から、放送番組を視聴しているか否かを判定する（Ｓ９１０９）。この例では、比較対象の放送番組と対応するＶＯＤコンテンツを視聴しており、Ｓ９１０９のＮの場合に該当する。よって、主アイコンをＶＯＤコンテンツの視聴を表すアイコンに設定し（Ｓ９１１０）、ＶＯＤコンテンツの再生位置から現在視聴中のシーンの位置を決定する（Ｓ９１１１）。次に、進行状況表示画面作成部９００は、放送経過時間とＶＯＤコンテンツの再生位置が一致するようにバーの位置を決定する（Ｓ９１１８）。
【０１４０】
その後、進行状況表示画面作成部９００は、終了時間差が０より大きいか否かを判定する（Ｓ９１１９）。この例では、終了時間差は「＋０時間６分０秒」であるため、Ｓ９１１９のＹの場合に該当し、終了時間差を表示するバーの長さを決定する（Ｓ９１２０）。最後に、進行状況表示画面作成部９００は、番組属性情報表示画面を作成して（Ｓ９１２１）、作成した番組属性情報画面を入力切替部１０００に出力する（Ｓ９１２２）。
【０１４１】
図１９は、番組属性情報表示画面ＳＣ００２の拡大図である。なお、文字列ＴＸ１０１、ＴＸ１０２、アイコンＩ１０２、Ｉ１０３、バーＢ１０１ａ、Ｂ１０１ｂ、Ｂ１０２ａ、Ｂ１０２ｂ、線Ｌ１０２については図１７と、主アイコンＩ２０１、図形Ｆ２０１、線Ｌ２０１については図１８と重複するため、説明を省略する。
【０１４２】
バーＢ３０２ｃは、バーＢ１０２ａを放送番組の終了位置（線Ｌ１０２）からＶＯＤコンテンツの終了位置（Ｂ１０２ａの右端）まで塗りつぶしたものであり、ＶＯＤコンテンツの視聴時間のうち、放送番組の放送時間を超過する部分を示したものである。この場合、ＶＯＤコンテンツは放送番組より６分０秒後に終了するため、バーＢ３０２ｃは、線Ｌ１０２の６分０秒右側で終了する。文字列ＴＸ３０３は、ＶＯＤコンテンツを視聴することによって放送時間を超過するため、図１７ならびに図１８の文字列ＴＸ１０３とは異なる色で描画する。
【０１４３】
この結果、ユーザはＶＯＤコンテンツを視聴することで当該放送番組よりどの程度遅れて視聴終了するかを把握できる。
【０１４４】
このように、本実施例の放送受信装置は、放送番組とＶＯＤコンテンツの進行の差を比
較して、ＶＯＤコンテンツを視聴した場合と放送番組を視聴した場合の所要時間の差を放送番組またはＶＯＤコンテンツの映像上に重ねて表示する。これにより、ユーザは視聴中のＶＯＤコンテンツが放送番組よりも早く終了することを把握でき、放送番組に戻った場合に視聴済みシーンを再視聴することになることを知る。またユーザは、余った時間で他のチャンネルの番組を視聴する等、時間を有効に使うことができる。あるいは、ユーザは、ＶＯＤコンテンツの視聴が次の放送番組に重複する時間を把握することができるので、次の放送番組を録画する、次の番組の冒頭部分を見逃してもよいから継続してＶＯＤコンテンツを視聴する等、を容易に判断することができる。
【０１４５】
なお、本実施例では番組属性情報表示画面をモニタ上の画面の右上に表示するように構成したが、本発明は表示領域を制限するものではない。また、本実施例ではＶＯＤコンテンツを示すアイコンを固定しているが、ＶＯＤコンテンツ情報にアイコンを付加し、当該アイコンを表示するよう構成してもよい。
【０１４６】
＜実施例３＞
実施例２では、現在視聴中の放送番組またはＶＯＤコンテンツに関する番組属性情報（チャンネルバナー）を表示する例について述べた。実施例３では、ＶＯＤコンテンツを視聴することによって次の放送番組の視聴にどの程度影響するかを、チャンネルバナー表示する例について述べる。なお、実施例１乃至実施例２と重複する部分については説明を省略する。
【０１４７】
（映像受信装置）
図２０は、本発明の実施例３に係る映像受信装置１の機能ブロック図である。放送受信・再生部１００、ＶＯＤ受信・再生部２００、選局制御部４００、同一コンテンツ検索部６００、再生制御部７００については図２と重複するため、説明を省略する。また、入力切替部１０１０は実施例２で説明した入力切替部１０００と重複するため、説明を省略する。
【０１４８】
ユーザインタフェース部３２０は、図２を用いて説明した実施例１のユーザインタフェース部３００の機能に加えて、ユーザが入力する視聴予約要求に基づいて視聴予約情報を番組情報管理部５２０に出力する機能を有する。
【０１４９】
番組情報管理部５２０は、図２を用いて説明した実施例１の番組情報管理部５００の機能に加えて、ユーザインタフェース部３２０から受信した視聴予約情報に基づいて、番組属性情報に視聴予約を設定する機能を有する。
【０１５０】
進行比較部８２０は、実施例２で説明した進行比較部８００の機能に加えて、視聴中の放送番組の次に放送される番組または視聴予約された番組に対する重複時間を算出し、番組属性情報表示用進行比較結果に付け加えて出力する機能を有する。進行比較部８２０の詳細は後述する。
【０１５１】
進行状況表示画面作成部９２０は、実施例２で説明した進行状況表示画面作成部９００の機能に加えて、次の放送番組または視聴予約された放送番組との重複時間を表示する番組属性情報画面を作成し、入力切替部１０１０に出力する機能を有する。進行状況表示画面作成部９２０の詳細は後述する。
【０１５２】
（視聴予約なしの場合の動作例）
図２１は、番組情報管理部５２０で管理する番組属性情報を示したものである。図３の番組属性情報に加えて、ユーザインタフェース部３２０より入力された視聴予約情報が追加されている。
【０１５３】
Ｔ２０１は、識別ＩＤ「ＩＤ１」、チャンネル「Ｃｈ．Ａ」で番組タイトル「映画  ＊＊は＋＋だった」という番組が、「２００７年１１月１日１８時０分０秒」から「０時間６０分０秒」間放送され、視聴予約が「ない」ことを表す。Ｔ２０２は、識別ＩＤ「ＩＤ２」、チャンネル「Ｃｈ．Ａ」で番組タイトル「バラエティ△  □□□について語る」という番組が、「２００７年１１月１日１９時０分０秒」から「０時間６０分０秒」間放送され、視聴予約が「ない」ことを表す。Ｔ２０３は、識別ＩＤ「ＩＤ３」、チャンネル「Ｃｈ．Ｂ」で番組タイトル「６時のニュース  ○○事件続報！」という番組が、「２００７年１１月１日１８時０分０秒」から「０時間６０分０秒」間放送され、視聴予約が「ない」ことを表す。Ｔ２０４は、識別ＩＤ「ＩＤ４」、チャンネル「Ｃｈ．Ｂ」で番組タイトル「アニメ  ○○○○  ついに△△登場！？」という番組が、「２００７年１１月１日１９時０分０秒」から「０時間６０分０秒」間放送され、視聴予約が「ない」ことを表す。
【０１５４】
以下、放送番組「映画  ＊＊は＋＋だった」を視聴中に、ユーザの「冒頭再生」操作によって、ＶＯＤコンテンツの視聴に切り替わった後に、視聴予約がない状態で番組属性情報表示画面を表示した場合の動作を説明する。
【０１５５】
図２２Ａおよび図２２Ｂは、進行比較部８２０が進行状況表示画面作成部９２０に対して、番組属性情報表示用進行比較結果を出力する動作を示すフローチャートである。図１２の「２００７年１１月１日１８時２１分０秒」時点での進行比較部８２０の動作を、図２２Ａおよび図２２Ｂを用いて説明する。なお、Ｓ８２０１〜Ｓ８２１７までは図１４Ａおよび図１４ＢのＳ８１０１〜Ｓ８１１７と同じ処理を行うため、説明を省略する。
【０１５６】
進行比較部８２０は、Ｓ８２１５においてＶＯＤコンテンツ視聴終了日時と放送終了日の差から終了時間差を算出する。その後、進行比較部８２０は、該当ＶＯＤコンテンツの視聴状況から、比較対象の放送番組と対応するＶＯＤコンテンツを視聴しているか否か、終了時間差が０より大きいか否かを判定する（Ｓ８２１８）。この例では、比較対象の放送番組に対応するＶＯＤコンテンツを視聴しており、かつ終了時間差が「＋０時間６分０秒」と０より大きい。よって、Ｓ８２１８のＹの場合に該当し、進行比較部８２０は、ＶＯＤコンテンツの視聴終了時刻までに放送開始される視聴予約した放送番組があるか否かを判定する（Ｓ８２１９）。この例では、視聴予約した放送番組がないため、Ｓ８２１９のＮの場合に該当する。よって、進行比較部８２０は、同じ選局チャンネル「Ｃｈ．Ａ」で放送番組「映画  ＊＊は＋＋だった」の次に放映される「バラエティ△  □□□について語る」の識別ＩＤ「ＩＤ２」を取得する（Ｓ８２２１）。その後、進行比較部８２０はＶＯＤコンテンツの視聴終了時刻「２００７年１１月１日１９時６分０秒」と次の放送番組の放送開始時刻「２００７年１１月１日１９時０分０秒」との差から、次の放送番組との重複時間「０時間６分０秒」を算出する（Ｓ８２２２）。
【０１５７】
最後に、進行比較部８２０は、番組属性情報表示用進行比較結果を出力する（Ｓ８２２３）。番組属性情報表示用進行比較結果は、選局チャンネル、現在日時、該当ＶＯＤコンテンツの視聴状況、放送番組の識別ＩＤ、放送経過時間、放送番組のシーン放映位置、ＶＯＤコンテンツの再生位置、ＶＯＤコンテンツ名、ＶＯＤコンテンツの再生時間、終了時間差、次の放送番組の識別ＩＤ、次の放送番組との重複時間、を含んでいる。この例では、出力する番組属性情報表示用進行比較結果は「Ｃｈ．Ａ、２００７年１１月１日１８時２１分０秒、比較対象の放送番組と対応するＶＯＤコンテンツを視聴している、ＩＤ１、０時間２１分０秒、０時間１１分０秒、０時間１０分０秒、映画  ＊＊は＋＋だった、０時間５５分０秒、＋０時間６分０秒、ＩＤ２、０時間６分０秒」となる。
【０１５８】
なお、Ｓ８２１８において比較対象の放送番組と対応しないＶＯＤコンテンツを視聴し
ている、または終了時間差が０以下の場合（Ｓ８２１８のＮ）は、Ｓ８２１９〜Ｓ８２２２の処理を行わずに、番組属性情報表示用進行比較結果を出力する（Ｓ８２２３）。このときの進行比較結果には、次の放送番組の放送開始時刻、次の放送番組の放送時間、次の放送番組との重複時間、が設定されない。
【０１５９】
図２３Ａおよび図２３Ｂは、ユーザインタフェース部３００から番組属性情報表示要求を受けた際の進行状況表示画面作成部９２０の動作を示すフローチャートである。図２３Ａおよび図２３Ｂを用いて、図１２の「２００７年１１月１日１８時２１分０秒」時点で進行比較状況表示画面作成部９２０の動作を、説明する。なお、図２３Ａおよび図２３ＢのＳ９２０２〜Ｓ９２２０の処理は、図１５Ａおよび図１５ＢのＳ９１０２〜Ｓ９１２０と同じ処理であるため、これらの処理の例については説明を省略する。
【０１６０】
進行状況表示画面作成部９２０は、進行比較部８２０から番組属性情報表示用進行比較結果「Ｃｈ．Ａ、２００７年１１月１日１８時２１分０秒、比較対象の放送番組と対応するＶＯＤコンテンツを視聴している、ＩＤ１、０時間２１分０秒、０時間１１分０秒、０時間１０分０秒、映画  ＊＊は＋＋だった、０時間５５分０秒、＋０時間６分０秒、ＩＤ２、０時間６分０秒」を取得する（Ｓ９２０１）。その後、進行状況表示画面作成部９２０は、Ｓ９２０２〜Ｓ９２２０の処理を行って、視聴中のＶＯＤコンテンツならびに対応する放送番組、終了時間差に関するバーの位置や長さ、現在視聴中のシーンの位置を決定する。次に、進行状況表示画面作成部９２０は、次の放送番組の識別ＩＤに基づいて番組情報管理部５２０から、次の放送番組の番組属性情報を取得する（Ｓ９２２１）。次に、次の放送番組の番組情報から、次の放送番組が視聴予約された番組か否かに基づいてバーの色を決定し（Ｓ９２２２）、次の放送番組の放送時間を表示するバーの長さを決定する（Ｓ９２２３）。次に、次の放送番組との重複時間を表示するバーの長さを決定し（Ｓ９２２４）、次の放送番組の放送開始日時に基づいてバーの位置を決定する（Ｓ９２２５）。最後に、番組属性情報表示画面を作成して（Ｓ９２２６）、作成した番組属性情報画面を入力切替部１０１０に出力する（Ｓ９２２７）。
【０１６１】
図２４は、番組属性情報表示画面ＳＣ００２の拡大図である。なお、文字列ＴＸ１０１、文字列ＴＸ１０２、アイコンＩ１０２、アイコンＩ１０３、バーＢ１０１ａ、バーＢ１０１ｂ、バーＢ１０２ａ、バーＢ１０２ｂ、線Ｌ１０２については図１７と、主アイコン２０１、図形Ｆ２０１、線Ｌ２０１については図１８と、バーＢ３０２ｃ、文字列ＴＸ３０３については、図１９と重複するため、説明を省略する。
【０１６２】
バーＢ４０１ａは、現在放映中の放送番組「映画  ＊＊は＋＋だった」の次に「Ｃｈ．Ａ」で放映される放送番組「バラエティ△  □□□について語る」の放送時間を表したものである。バーＢ４０１ｂは、バーＢ４０１ａを放送番組の放送開始から次の放送番組との重複時間分塗りつぶしたものであり、ＶＯＤコンテンツを視聴することで当該放送番組を視聴出来ない部分を表したものである。バーＢ４０１ｂの右端はバーＢ３０２ｃの右端と同じ線上になる。なお、バーＢ４０１ａ、バーＢ４０１ｂは、バーＢ１０１ａ等と同一スケールで表示することで、それぞれの時間を視覚的に比較できるように構成する。
【０１６３】
この結果、ユーザはＶＯＤコンテンツを視聴することで次の放送番組のうち、どの程度のシーンを見逃すことになるかを把握できる。
【０１６４】
（視聴予約ありの場合の動作例）
図２５は、番組情報管理部５２０で管理する番組属性情報を示したものである。Ｔ３０１〜Ｔ３０３は、図２１のＴ３０１〜Ｔ３０２と重複するため、説明を省略する。Ｔ３０４は、識別ＩＤ「ＩＤ４」、チャンネル「Ｃｈ．Ｂ」で番組タイトル「放送局よりお知らせ」という番組が、「２００７年１１月１日１９時０分０秒」から「０時間５分０秒」間
放送され、視聴予約が「ない」ことを表す。Ｔ３０５は、識別ＩＤ「ＩＤ５」、チャンネル「Ｃｈ．Ｂ」で番組タイトル「アニメ  ×××  第○話」という番組が、「２００７年１１月１日１９時５分０秒」から「０時間２５分０秒」間放送され、視聴予約が「ある」ことを表す。
【０１６５】
次に、放送番組「映画  ＊＊は＋＋だった」を視聴中にユーザの「冒頭再生」操作によって、ＶＯＤコンテンツの視聴に切り替わった後に、ＶＯＤコンテンツ視聴中に視聴予約した放送番組が始まる状態で番組属性情報表示画面を表示した場合の動作を説明する。
【０１６６】
図２２Ａおよび図２２Ｂを用いて、図１２の「２００７年１１月１日１８時２１分０秒」時点での進行比較部８２０の動作を、説明する。なお、Ｓ８２０１〜Ｓ８２１８までは前述の通りであるため、説明を省略する。
【０１６７】
進行比較部８２０は、番組情報管理部５２０から、ＶＯＤコンテンツの視聴終了時刻までに放送開始される視聴予約した放送番組があるか否かを判定する（Ｓ８２１９）。この例では、チャンネル「Ｃｈ．Ｂ」で「２００７年１１月１日１９時５分０秒」に放映される「アニメ  ×××  第○話」が視聴予約されており、Ｓ８２１９のＹの場合に該当するため、当該放送番組の識別ＩＤ「ＩＤ５」を取得する（Ｓ８２２０）。その後、ＶＯＤコンテンツの視聴終了時刻「２００７年１１月１日１９時６分０秒」と次の放送番組の放送開始時刻「２００７年１１月１日１９時５分０秒」との差から、次の放送番組との重複時間「０時間１分０秒」を算出する（Ｓ８２２２）。
【０１６８】
最後に、進行比較部８２０は、番組属性情報表示用進行比較結果として出力する（Ｓ８２２３）。番組属性情報表示用進行比較結果は、選局チャンネル、現在日時、該当ＶＯＤコンテンツの視聴状況、放送番組の識別ＩＤ、放送経過時間、放送番組のシーン放映位置、ＶＯＤコンテンツの再生位置、ＶＯＤコンテンツ名、ＶＯＤコンテンツの再生時間、終了時間差、次の放送番組の識別ＩＤ、次の放送番組との重複時間、を含む。この例では、出力する番組属性情報表示用進行比較結果は「Ｃｈ．Ａ、２００７年１１月１日１８時２１分０秒、比較対象の放送番組と対応するＶＯＤコンテンツを視聴している、ＩＤ１、０時間２１分０秒、０時間１１分０秒、０時間１０分０秒、映画  ＊＊は＋＋だった、０時間５５分０秒、＋０時間６分０秒、ＩＤ２、０時間１分０秒」となる。
【０１６９】
図２６は、番組属性情報表示画面ＳＣ００２の拡大図である。なお、文字列ＴＸ１０１、文字列ＴＸ１０２、アイコンＩ１０２、アイコンＩ１０３、バーＢ１０１ａ、バーＢ１０１ｂ、バーＢ１０２ａ、バーＢ１０２ｂ、線Ｌ１０２については図１７と、主アイコン２０１、図形Ｆ２０１、線Ｌ２０１については図１８と、バーＢ３０２ｃ、文字列ＴＸ３０３については、図１９と重複するため、説明を省略する。
【０１７０】
バーＢ５０１ａは、視聴予約がある放送番組「アニメ  ×××  第○話」の放送時間を表したものである。バーＢ５０１ａは、視聴予約した放送番組とそうでない放送番組を区別するために、図２４のバーＢ４０１ａとは異なる色で表示する。バーＢ５０１ｂは、バーＢ５０１ａを放送番組の放送開始から次の放送番組との重複時間分塗りつぶしたものであり、ＶＯＤコンテンツを視聴することで当該放送番組を視聴出来ない部分を表したものである。バーＢ５０１ｂの右端はバーＢ３０２ｃの右端と同じ線上になる。なお、バーＢ５０１ａ、バーＢ５０１ｂは、バーＢ１０１ａ等と同一スケールで表示することで、それぞれの時間を視覚的に比較できるように構成する。
【０１７１】
この結果、ユーザはＶＯＤコンテンツを視聴することで視聴予約した次の放送番組のうち、どの程度のシーンを見逃すことになるかを把握できる。
【０１７２】
このように、本実施例の放送受信装置は、次の放送番組、または次に視聴予約した放送番組の放送時間、ならびに当該放送番組の視聴とＶＯＤコンテンツの視聴が重複する時間を、放送番組またはＶＯＤコンテンツの映像上に重ねて表示する。これにより、ユーザは、ＶＯＤコンテンツの視聴によって、次の放送番組または次に視聴予約した放送番組をどれくらいの時間見逃すことになるのか詳細に把握できる。よって、ユーザは、その放送番組を録画する、あるいは、その放送番組の冒頭部分を見逃してもよいから継続してＶＯＤコンテンツを視聴する等、を容易に判断することができる。
【０１７３】
＜実施例４＞
実施例４では、ＶＯＤコンテンツで視聴済みの番組を他の番組と区別してＥＰＧ画面上に表示する例について述べる。なお、実施例１乃至実施例３と重複する部分については説明を省略する。
【０１７４】
図２７は、本発明の実施例４に係る映像受信装置１の機能ブロック図である。放送受信・再生部１００、ユーザインタフェース部３００、選局制御部４００、同一コンテンツ検索部６００、再生制御部７００、進行比較部８００、入力切替部１０００については図２と重複するため、説明を省略する。
【０１７５】
ＶＯＤ受信・再生部２３０は、図２を用いて説明した実施例１のＶＯＤ受信・再生部の機能に加えて、ユーザがＶＯＤコンテンツの視聴を終了した際に番組情報管理部５３０に対して、当該ＶＯＤコンテンツの視聴完了を通知する機能を有する。
【０１７６】
番組情報管理部５３０は、図２を用いて説明した実施例１の番組情報管理部５００の機能に加えて、ＶＯＤ受信・再生部２３０から受信したＶＯＤコンテンツの視聴完了通知に基づいて、対応する放送番組の番組属性情報にＶＯＤ視聴完了フラグを「完了」に設定する機能を有する。
【０１７７】
進行状況表示画面作成部９３０は、図２を用いて説明した実施例１の進行状況表示画面作成部９００の機能に加えて、ＶＯＤ視聴完了フラグが「完了」になっている放送番組がＥＰＧ画面上で区別できるようにＥＰＧ画面を作成し、入力切替部１０００に出力する機能を有する。
【０１７８】
図２８は、番組情報管理部５３０で管理する番組属性情報を示したものである。図３の番組属性情報に加えて、ＶＯＤ受信・再生部２３０より入力された視聴予約情報が追加されている。
【０１７９】
Ｔ４０１は、チャンネル「Ｃｈ．Ａ」で番組タイトル「映画  ＊＊は＋＋だった」という番組が、「２００７年１１月１日１８時０分０秒」から「０時間６０分０秒」間放送され、ＶＯＤコンテンツでの視聴完了フラグが「完了」であることを表す。Ｔ４０２は、チャンネル「Ｃｈ．Ａ」で番組タイトル「バラエティ△  □□□について語る」という番組が、「２００７年１１月１日１９時０分０秒」から「０時間６０分０秒」間放送され、ＶＯＤコンテンツでの視聴完了フラグが「未完了」であることを表す。Ｔ４０３は、チャンネル「Ｃｈ．Ｂ」で番組タイトル「６時のニュース  ○○事件続報！」という番組が、「２００７年１１月１日１８時０分０秒」から「０時間６０分０秒」間放送され、ＶＯＤコンテンツでの視聴完了フラグが「未完了」であることを表す。Ｔ４０４は、チャンネル「Ｃｈ．Ｂ」で番組タイトル「アニメ  ○○○○  ついに△△登場！？」という番組が、「２００７年１１月１日１９時０分０秒」から「０時間６０分０秒」間放送され、ＶＯＤコンテンツでの視聴完了フラグが「未完了」であることを表す。
【０１８０】
図２９は、ユーザインタフェース部３００からＥＰＧ表示要求を受けた際の進行状況表
示画面作成部９３０の動作を示すフローチャートである。図２９に沿って、図２８ならびに図４〜５に示した放送番組「映画  ＊＊は＋＋だった」をＶＯＤコンテンツで視聴完了した後の「２００７年１１月１日１８時５９分０秒」時点でＥＰＧ表示要求を受けた場合の動作を説明する。なお、Ｓ９３０１〜Ｓ９３０４までは図８のＳ９００１〜Ｓ９００４と同じ処理であるため、説明を省略する。
【０１８１】
進行状況表示画面作成部９３０は、ＥＰＧ画面上に表示する比較結果の大きさを決定した後、該当ＶＯＤコンテンツの視聴状況ならびにＶＯＤ視聴に要する時間、番組属性情報の視聴完了フラグに基づいて、比較結果を表示する色を決定する（Ｓ９３０５）。そして進行状況表示画面作成部９３０は、比較結果を対応するＥＰＧ画面上の放送番組部分に描画する（Ｓ９３０６）。最後に、作成したＥＰＧ画面を入力切替部１０００に出力する（Ｓ９３０７）。
【０１８２】
Ｓ９３０７で作成されたＥＰＧ画面は、図９に示したＥＰＧ画面と同様の表示形態である。但し、放送番組「映画  ＊＊は＋＋だった」の領域には、ＶＯＤコンテンツの視聴を完了していることがわかるように、図１１の図形Ｆ００２、図１３のＦ００３と異なる色分けして表示するのが好適である。
【０１８３】
このように、本発明ではＶＯＤコンテンツの視聴を完了した場合にＥＰＧ画面に視聴完了したことを表す図形を重ね合わせて表示する。これにより、ユーザはＥＰＧ画面を表示すれば、当該放送番組をＶＯＤコンテンツで先に視聴完了していることを把握し、当該チャンネル以外のチャンネルを選局して番組を視聴する等、時間を有効に使うことができる。
【０１８４】
なお、本実施例では、ＥＰＧ画面上に図形を重ね合わせているが、本発明の構成はこれに限らず、ＶＯＤコンテンツで視聴済みの番組とその他の番組とが区別できればよい。たとえば、放送番組のセル中に視聴済みであることを示すアイコンを表示したり、視聴済みの番組とそれ以外の番組の色やスタイルなどを異ならせてもよい。
【図面の簡単な説明】
【０１８５】
【図１】映像表示システムの全体構成を示す図。
【図２】実施例１における、映像受信装置の機能ブロック図。
【図３】実施例１における、番組属性情報の一例。
【図４】放送番組とＶＯＤコンテンツの進行を比較したイメージ図。
【図５】図５Ａは進行対応表を示す図、図５ＢはＶＯＤコンテンツ情報を示す図。
【図６】放送番組の現在位置に対応するＶＯＤコンテンツの再生位置を決定する処理のフローチャート。
【図７Ａ】実施例１における、放送番組とＶＯＤコンテンツの進行状況を比較する処理のフローチャート。
【図７Ｂ】実施例１における、放送番組とＶＯＤコンテンツの進行状況を比較する処理のフローチャート。
【図８】実施例１における、放送番組とＶＯＤコンテンツの進行状況を表示する処理のフローチャート。
【図９】実施例１における、ＥＰＧ画面の表示例。
【図１０】放送番組とＶＯＤコンテンツのどちらを視聴しているかを示したイメージ図。
【図１１】実施例１における、ＥＰＧ画面の表示例。
【図１２】放送番組とＶＯＤコンテンツのどちらを視聴しているかを示したイメージ図。
【図１３】実施例１における、ＥＰＧ画面の表示例。
【図１４Ａ】実施例２における、放送番組とＶＯＤコンテンツの進行状況を比較する処理のフローチャート。
【図１４Ｂ】実施例２における、放送番組とＶＯＤコンテンツの進行状況を比較する処理のフローチャート。
【図１５Ａ】実施例２における、放送番組とＶＯＤコンテンツの進行状況を表示する処理のフローチャート。
【図１５Ｂ】実施例２における、放送番組とＶＯＤコンテンツの進行状況を表示する処理のフローチャート。
【図１６】実施例２における、番組属性情報表示画面の表示例。
【図１７】実施例２における、番組属性情報表示画面の表示例（拡大図）。
【図１８】実施例２における、番組属性情報表示画面の表示例（拡大図）。
【図１９】実施例２における、番組属性情報表示画面の表示例（拡大図）。
【図２０】実施例３における、映像受信装置の機能ブロック図。
【図２１】実施例３における、番組属性情報の一例。
【図２２Ａ】実施例３における、放送番組とＶＯＤコンテンツの進行状況を比較する処理のフローチャート。
【図２２Ｂ】実施例３における、放送番組とＶＯＤコンテンツの進行状況を比較する処理のフローチャート。
【図２３Ａ】実施例３における、放送番組とＶＯＤコンテンツの進行状況を表示する処理のフローチャート。
【図２３Ｂ】実施例３における、放送番組とＶＯＤコンテンツの進行状況を表示する処理のフローチャート。
【図２４】番組属性情報表示画面の表示例（拡大図）。
【図２５】実施例３における、番組属性情報の一例。
【図２６】番組属性情報表示画面の表示例（拡大図）。
【図２７】実施例４における、映像受信装置の機能ブロック図。
【図２８】実施例４における、番組属性情報の一例。
【図２９】実施例４における、ＥＰＧ画面を表示する処理のフローチャート。
【図３０】映像受信装置の内部構成のブロック図。
【符号の説明】
【０１８６】
１…映像受信装置
２…アンテナ
３…インターネット
４…ＶＯＤサーバ
５…リモコン
６…モニタ
１００…放送受信・再生部
２００、２３０…ＶＯＤ受信・再生部
３００…ユーザインタフェース部
４００…選局制御部
５００、５２０、５３０…番組情報管理部
６００…同一コンテンツ検索部
７００…再生制御部
８００、８２０…進行比較部
９００、９２０、９３０…進行状況表示画面作成部
１０００、１０１０…入力切替部
【図１】
0005235471.tif 000002
【図２】
0005235471.tif 000003
【図３】
0005235471.tif 000004
【図４】
0005235471.tif 000005
【図５】
0005235471.tif 000006
【図６】
0005235471.tif 000007
【図７Ａ】
0005235471.tif 000008
【図７Ｂ】
0005235471.tif 000009
【図８】
0005235471.tif 000010
【図９】
0005235471.tif 000011
【図１０】
0005235471.tif 000012
【図１１】
0005235471.tif 000013
【図１２】
0005235471.tif 000014
【図１３】
0005235471.tif 000015
【図１４Ａ】
0005235471.tif 000016
【図１４Ｂ】
0005235471.tif 000017
【図１５Ａ】
0005235471.tif 000018
【図１５Ｂ】
0005235471.tif 000019
【図１６】
0005235471.tif 000020
【図１７】
0005235471.tif 000021
【図１８】
0005235471.tif 000022
【図１９】
0005235471.tif 000023
【図２０】
0005235471.tif 000024
【図２１】
0005235471.tif 000025
【図２２Ａ】
0005235471.tif 000026
【図２２Ｂ】
0005235471.tif 000027
【図２３Ａ】
0005235471.tif 000028
【図２３Ｂ】
0005235471.tif 000029
【図２４】
0005235471.tif 000030
【図２５】
0005235471.tif 000031
【図２６】
0005235471.tif 000032
【図２７】
0005235471.tif 000033
【図２８】
0005235471.tif 000034
【図２９】
0005235471.tif 000035
【図３０】
0005235471.tif 000036